(57)【特許請求の範囲】
【請求項１】
放送番組に関する各種情報を複数の放送局から入力する番組情報サーバであって、
携帯端末との間で各種情報を送受信する通信部と、
前記複数の放送局から入力した情報に基づいて放送局毎に複数作成されリアルタイムで更新される番組編成パターンであって、放送番組の放送時間帯の枠を放送番組単位で特定する情報である番組枠編成情報と、前記番組枠編成情報の放送番組と関連付けられた情報であって当該放送番組の放送時間帯の枠内における構成要素である放送素材の放送日時と素材枠時間とを含み当該放送番組の放送時間帯の枠を前記放送素材単位で特定する情報であるＱシート編成情報とを含む番組編成パターンを格納し、前記複数の放送局から入力した情報であって前記放送素材に関連する情報である番組情報を当該放送素材に関連付けて格納するデータベースと、
前記入力した放送局からの情報に基づいて、前記データベースに格納されている複数の番組編成パターンの中から放送局毎に一の番組編成パターンを選択する手段と、
放送局から送信された放送情報を出力する受像機のチャネル選択に係るチャネル情報と、前記受像機で出力されている放送情報に関する所定の情報である所定情報の取得を要求する番組情報取得要求情報とを、前記携帯端末から受信する手段と、
前記チャネル情報と前記番組情報取得要求情報とを前記携帯端末から受信すると、前記選択された番組編成パターンに係る放送素材であって前記受信したチャネル情報と前記受信した時刻とに係る放送素材を前記データベースから抽出する抽出手段と、
前記番組情報取得要求情報を送信した携帯端末に、前記抽出した放送素材に関連付けて前記データベースに格納されている番組情報を送信する手段と、
を有することを特徴とする番組情報サーバ。
【請求項２】
放送番組に関する各種情報を複数の放送局から入力する番組情報サーバであって、
携帯端末との間で各種情報を送受信する通信部と、
前記複数の放送局から入力した情報に基づいて放送局毎に複数作成されリアルタイムで更新される番組編成パターンであって、放送番組の放送時間帯の枠を放送番組単位で特定する情報である番組枠編成情報と、前記番組枠編成情報の放送番組と関連付けられた情報であって当該放送番組の放送時間帯の枠内における構成要素である放送素材の放送日時と素材枠時間とを含み当該放送番組の放送時間帯の枠を前記放送素材単位で特定する情報であるＱシート編成情報とを含む番組編成パターンを格納し、前記複数の放送局から入力した情報であって前記放送素材に関連する情報である番組情報を当該放送素材に関連付けて格納するデータベースと、
前記入力した放送局からの情報に基づいて、前記データベースに格納されている複数の番組編成パターンの中から放送局毎に一の番組編成パターンを選択する手段と、
放送局から送信された放送情報を出力する受像機のチャネル選択に係るチャネル情報と、前記受像機で出力されている放送情報に関する所定の情報である所定情報の取得を要求する番組情報取得要求情報と、前記携帯端末のＩＤと、前記携帯端末の位置情報とを、前記携帯端末から受信する手段と、
前記チャネル情報と前記携帯端末のＩＤと前記携帯端末の位置情報と前記番組情報取得要求情報とを前記携帯端末から受信すると、前記受信したチャネル情報と携帯端末の位置情報とに係る放送局を抽出し、前記選択された番組編成パターンに係る放送素材であって前記抽出した放送局と前記受信した時刻とに係る放送素材を前記データベースから抽出する抽出手段と、
前記受信した携帯端末のＩＤに基づいて、前記番組情報取得要求情報を送信した携帯端末に、前記抽出した放送素材に関連付けて前記データベースに格納されている番組情報を送信する手段と、
を有することを特徴とする番組情報サーバ。
【請求項３】
前記通信部は、放送局から送信された放送情報を録画する録画再生装置との間で各種情報を送受信する通信部であり、
前記放送素材が番組宣伝に係る場合、前記番組宣伝に係る放送番組についてのチャネル情報及び放送開始時刻及び放送終了時刻が当該放送素材に関連付けられ、当該放送素材に係る番組情報は、当該放送番組に係るチャネル情報と放送開始時刻と放送終了時刻とを含み、
前記チャネル情報と前記番組情報取得要求情報と前記携帯端末のＩＤと前記携帯端末の位置情報と共に録画再生装置のＩＤを前記携帯端末から受信する手段と、
前記抽出した放送素材が番組宣伝に係る場合、当該番組宣伝に係る番組情報に基づいて、当該番組情報に係る放送番組を前記録画再生装置に録画予約させる情報である録画予約情報を作成する手段と、
前記受信した録画再生装置のＩＤに基づいて、前記作成された録画予約情報を当該録画再生装置に送信する手段と、
を有することを特徴とする請求項２に記載の番組情報サーバ。
【請求項４】
前記抽出した放送素材と前記受信したチャネル情報と携帯端末のＩＤと携帯端末の位置情報と前記受信した時刻とを関連付けた情報である視聴情報を記憶する記憶部と、
前記記憶部に記憶されている視聴情報に基づいて、視聴率データを集計する手段と、
を有することを特徴とする請求項２または請求項３に記載の番組情報サーバ。
【請求項５】
放送番組に関する各種情報を複数の放送局から入力する番組情報サーバであって、
携帯端末との間で各種情報を送受信する通信部と、
前記複数の放送局から入力した情報に基づいて放送局毎に複数作成されリアルタイムで更新される番組編成パターンであって、放送番組の放送時間帯の枠を放送番組単位で特定する情報である番組枠編成情報と、前記番組枠編成情報の放送番組と関連付けられた情報であって当該放送番組の放送時間帯の枠内における構成要素である放送素材の放送日時と素材枠時間とを含み当該放送番組の放送時間帯の枠を前記放送素材単位で特定する情報であるＱシート編成情報とを含む番組編成パターンを格納し、前記複数の放送局から入力した情報であって前記放送素材に関連する情報である番組情報を当該放送素材に関連付けて格納するデータベースと、
前記入力した放送局からの情報に基づいて、前記データベースに格納されている複数の番組編成パターンの中から放送局毎に一の番組編成パターンを選択する手段と、
前記選択された番組編成パターンに係る放送素材のうちの所定期間内の放送素材に係る番組情報を前記データベースから抽出する抽出手段と、
前記抽出した番組情報を前記携帯端末に送信する手段と、
前記データベースに格納されている情報の更新の有無を監視する手段と、
前記データベースに格納されている情報の更新があれば、更新後の情報を前記データベースから取得し、取得した情報の中から更新された部分に係る情報である差分情報のみを抽出する手段と、
前記抽出した差分情報を前記携帯端末に送信する手段と、
を有することを特徴とする番組情報サーバ。
【請求項６】
前記番組編成パターンに係る放送素材のうちの１又は２以上の放送素材に、当該放送素材に係る素材枠時間の変更が可能であることを示すアンタイム情報が付与され、
前記入力した放送局からの情報に基づいて、前記アンタイム情報が付与された放送素材に係る素材枠時間を変更することを特徴とする請求項１〜５のいずれか１項に記載の番組情報サーバ。
【請求項７】
放送番組に関する各種情報を複数の放送局から入力する番組情報サーバと、前記番組情報サーバとの間で各種情報を送受信する携帯端末とを有する番組情報提供システムであって、
前記番組情報サーバは、
前記複数の放送局から入力した情報に基づいて放送局毎に複数作成されリアルタイムで更新される番組編成パターンであって、放送番組の放送時間帯の枠を放送番組単位で特定する情報である番組枠編成情報と、前記番組枠編成情報の放送番組と関連付けられた情報であって当該放送番組の放送時間帯の枠内における構成要素である放送素材の放送日時と素材枠時間とを含み当該放送番組の放送時間帯の枠を前記放送素材単位で特定する情報であるＱシート編成情報とを含む番組編成パターンを格納し、前記複数の放送局から入力した情報であって前記放送素材に関連する情報である番組情報を当該放送素材に関連付けて格納するデータベースと、
前記入力した放送局からの情報に基づいて、前記データベースに格納されている複数の番組編成パターンの中から放送局毎に一の番組編成パターンを選択する手段と、
放送局から送信された放送情報を出力する受像機のチャネル選択に係るチャネル情報と、前記受像機で出力されている放送情報に関する所定の情報である所定情報の取得を要求する番組情報取得要求情報と、前記携帯端末のＩＤと、前記携帯端末の位置情報とを、前記携帯端末から受信する手段と、
前記チャネル情報と前記携帯端末のＩＤと前記携帯端末の位置情報と前記番組情報取得要求情報とを前記携帯端末から受信すると、前記受信したチャネル情報と携帯端末の位置情報とに係る放送局を抽出し、前記選択された番組編成パターンに係る放送素材であって前記抽出した放送局と前記受信した時刻とに係る放送素材を前記データベースから抽出する抽出手段と、
前記受信した携帯端末のＩＤに基づいて、前記番組情報取得要求情報を送信した携帯端末に、前記抽出した放送素材に関連付けて前記データベースに格納されている番組情報を送信する手段と、
を有し、前記携帯端末は、
前記携帯端末のＩＤと前記携帯端末の位置情報とを記憶する記憶部と、
前記チャネル情報を前記受像機に送信するチャネル選択手段と、
前記受像機に送信されたチャネル情報を前記記憶部に記憶する手段と、
前記所定情報の取得を指示する番組情報取得指示手段と、
前記番組情報取得指示手段によって所定情報の取得が指示されると、前記番組情報取得要求情報と共に、前記記憶部に記憶されているチャネル情報と携帯端末のＩＤと携帯端末の位置情報とを、前記番組情報サーバに送信する手段と、
前記送信した番組情報取得要求情報に係る番組情報を前記番組情報サーバから受信する手段と、
前記受信した番組情報を表示する表示手段と、
を有することを特徴とする番組情報提供システム。
【請求項８】
前記放送素材が番組宣伝に係る場合、前記番組宣伝に係る放送番組についてのチャネル情報及び放送開始時刻が当該放送素材に関連付けられ、当該放送素材に係る番組情報は、当該放送番組に係るチャネル情報と放送開始時刻とを含み、
前記携帯端末は、
前記受信した番組情報が番組宣伝に係る場合、当該番組情報に係る放送番組の放送開始時刻になった旨を通知する第１の通知手段と、
前記第１の通知手段によって通知がされている番組情報に係る放送番組の視聴を指示する第１の視聴指示手段と、
前記第１の通知手段によって通知がされている場合に、前記第１の視聴指示手段によって視聴を指示されると、前記通知されている番組情報に係るチャネル情報を前記受像機に送信する手段と、
を有することを特徴とする請求項７に記載の番組情報提供システム。
【請求項９】
前記放送素材が番組宣伝に係る場合、前記番組宣伝に係る放送番組についてのチャネル情報及び放送開始時刻及び放送終了時刻が当該放送素材に関連付けられ、当該放送素材に係る番組情報は、当該放送番組に係るチャネル情報と放送開始時刻と放送終了時刻とを含み、
前記携帯端末は、
前記受信した番組情報が番組宣伝に係る場合、当該番組情報に基づいて、当該番組情報に係る放送番組を録画再生装置に録画予約させる情報である録画予約情報を作成する手段と、
前記作成された録画予約情報を前記録画再生装置に送信する手段と、
を有することを特徴とする請求項７または請求項８に記載の番組情報提供システム。
【請求項１０】
前記番組情報サーバは、
前記携帯端末に送信した番組情報と当該携帯端末のＩＤとを関連付けて記憶するサーバ記憶部と、
前記データベースに格納されている情報の更新の有無を監視する手段と、
前記データベースに格納されている情報の更新があれば、更新後の情報を前記データベースから取得し、取得した情報の中から更新された部分に係る情報である差分情報のみを抽出する手段と、
前記抽出した差分情報に係る番組情報に関連付けて前記サーバ記憶部に記憶されている携帯端末に、当該差分情報を送信する手段と、
を有し、前記携帯端末は、
前記差分情報を受信する手段と、
前記記憶部に記憶されている番組情報のうちから、前記受信した差分情報に係る番組情報を更新する手段と、
前記更新した番組情報が番組宣伝に係る場合、前記受信した差分情報に係る番組情報を更新した旨を表示する手段と、
を有することを特徴とする請求項７〜９のいずれか１項に記載の番組情報提供システム。
【請求項１１】
前記番組情報サーバは、
前記携帯端末に送信した番組情報と当該携帯端末のＩＤとを関連付けて記憶するサーバ記憶部と、
前記データベースに格納されている情報の更新の有無を監視する手段と、
前記データベースに格納されている情報の更新があれば、更新後の情報を前記データベースから取得し、取得した情報の中から更新された部分に係る情報である差分情報のみを抽出する手段と、
前記抽出した差分情報に係る番組情報に関連付けて前記サーバ記憶部に記憶されている携帯端末に、当該差分情報を送信する手段と、
を有し、前記携帯端末は、
前記差分情報を受信する手段と、
前記記憶部に記憶されている番組情報のうちから、前記受信した差分情報に係る番組情報を更新する手段と、
前記更新した番組情報が番組宣伝に係る場合、前記更新した番組情報に基づいて、当該番組情報に係る放送番組を前記録画再生装置に録画予約させる情報である録画予約情報を作成する手段と、
前記作成された録画予約情報を前記録画再生装置に送信する手段と、
を有することを特徴とする請求項９に記載の番組情報提供システム。
【請求項１２】
前記携帯端末は、
前記受信した番組情報が番組宣伝に係る場合において、当該番組情報に係る放送番組の放送終了時刻から所定時間経過後、または、１日のうちの所定の時刻になった場合に、当該放送番組が前記録画再生装置に録画されている旨を通知する第２の通知手段と、
前記第２の通知手段によって通知がされている番組情報に係る放送番組の視聴を指示する第２の視聴指示手段と、
前記第２の通知手段によって通知されている場合に、前記第２の視聴指示手段によって視聴を指示されると、前記通知されている番組情報に係る放送番組を、前記録画再生装置に再生させる情報である録画再生情報を作成する手段と、
前記作成された録画再生情報を前記録画再生装置に送信する手段と、
を有することを特徴とする請求項９に記載の番組情報提供システム。
【請求項１３】
放送番組に関する各種情報を複数の放送局から入力する番組情報サーバと、前記番組情報サーバとの間で各種情報を送受信する携帯端末とを有する番組情報提供システムであって、
前記番組情報サーバは、
前記複数の放送局から入力した情報に基づいて放送局毎に複数作成されリアルタイムで更新される番組編成パターンであって、放送番組の放送時間帯の枠を放送番組単位で特定する情報である番組枠編成情報と、前記番組枠編成情報の放送番組と関連付けられた情報であって当該放送番組の放送時間帯の枠内における構成要素である放送素材の放送日時と素材枠時間とを含み当該放送番組の放送時間帯の枠を前記放送素材単位で特定する情報であるＱシート編成情報とを含む番組編成パターンを格納し、前記複数の放送局から入力した情報であって前記放送素材に関連する情報である番組情報を当該放送素材に関連付けて格納するデータベースと、
前記入力した放送局からの情報に基づいて、前記データベースに格納されている複数の番組編成パターンの中から放送局毎に一の番組編成パターンを選択する手段と、
前記選択された番組編成パターンに係る放送素材のうちの所定期間内の放送素材に係る番組情報を前記データベースから抽出する抽出手段と、
前記抽出した番組情報を前記携帯端末に送信する手段と、
を有し、前記携帯端末は、
前記抽出した番組情報を受信する手段と、
前記受信した番組情報を記憶する記憶部と、
放送局から送信された放送情報を出力する受像機のチャネル選択に係るチャネル情報を前記受像機に送信するチャネル選択手段と、
前記送信されたチャネル情報を前記記憶部に記憶する手段と、
前記受像機で出力されている放送情報に関する所定の情報である所定情報の取得を指示する番組情報取得指示手段と、
前記番組情報取得指示手段によって所定情報の取得が指示されると、前記記憶部に記憶されている番組情報のうちから、前記指示された時刻と前記記憶部に記憶されているチャネル情報とに係る番組情報を抽出する抽出手段と、
前記抽出した番組情報を表示する表示手段と、
を有することを特徴とする番組情報提供システム。
【請求項１４】
前記番組情報サーバは、
前記データベースに格納されている情報の更新の有無を監視する手段と、
前記データベースに格納されている情報の更新があれば、更新後の情報を前記データベースから取得し、取得した情報の中から更新された部分に係る情報である差分情報のみを抽出する手段と、
前記抽出した差分情報を前記携帯端末に送信する手段と、
を有し、前記携帯端末は、
前記差分情報を受信する手段と、
前記記憶部に記憶されている番組情報のうちから、前記受信した差分情報に係る番組情報を更新する手段と、
を有することを特徴とする請求項１３に記載の番組情報提供システム。
【請求項１５】
放送番組に関する各種情報を複数の放送局から入力する番組情報サーバと、前記番組情報サーバとの間で各種情報を送受信する携帯端末とを有する番組情報提供システムであって、
前記番組情報サーバは、
前記複数の放送局から入力した情報に基づいて放送局毎に複数作成されリアルタイムで更新される番組編成パターンであって、放送番組の放送時間帯の枠を放送番組単位で特定する情報である番組枠編成情報と、前記番組枠編成情報の放送番組と関連付けられた情報であって当該放送番組の放送時間帯の枠内における構成要素である放送素材の放送日時と素材枠時間とを含み当該放送番組の放送時間帯の枠を前記放送素材単位で特定する情報であるＱシート編成情報とを含む番組編成パターンを格納し、前記複数の放送局から入力した情報であって放送時刻と放送内容に関する各種画像情報と受像機のチャネル選択に係るチャネル情報とを含む前記放送素材に関連する情報である番組情報を当該放送素材に関連付けて格納するデータベースと、
前記入力した放送局からの情報に基づいて、前記データベースに格納されている複数の番組編成パターンの中から放送局毎に一の番組編成パターンを選択する手段と、
前記選択された番組編成パターンに係る放送素材のうちの所定期間内の放送素材に係る番組情報を前記データベースから抽出する抽出手段と、
前記抽出した番組情報を前記携帯端末に送信する手段と、
を有し、前記携帯端末は、
前記抽出した番組情報を受信する手段と、
前記受信した番組情報を記憶する記憶部と、
現在時刻に基づいて、前記記憶部に記憶されている番組情報のうちから、前記現在時刻に係る番組情報に含まれる一の画像情報を放送局毎に抽出する抽出手段と、
前記放送局毎に抽出した画像情報を表示する表示部と、
前記表示部に表示されている放送局毎の画像情報のうちから、一の画像情報を選択する手段と、
前記選択された画像情報に係る番組情報に含まれるチャネル情報を前記受像機に送信すると共に、当該番組情報に含まれる各種画像情報のうちの２以上の画像情報を前記表示部に表示する手段と、
を有することを特徴とする番組情報提供システム。
【請求項１６】
放送番組に関する各種情報を複数の放送局から入力する番組情報サーバであって、携帯端末との間で各種情報を送受信する通信部と、前記複数の放送局から入力した情報に基づいて放送局毎に複数作成されリアルタイムで更新される番組編成パターンであって、放送番組の放送時間帯の枠を放送番組単位で特定する情報である番組枠編成情報と、前記番組枠編成情報の放送番組と関連付けられた情報であって当該放送番組の放送時間帯の枠内における構成要素である放送素材の放送日時と素材枠時間とを含み当該放送番組の放送時間帯の枠を前記放送素材単位で特定する情報であるＱシート編成情報とを含む番組編成パターンを格納し、前記複数の放送局から入力した情報であって前記放送素材に関連する情報である番組情報を当該放送素材に関連付けて格納するデータベースとを備えた番組情報サーバに用いられる番組情報提供方法であって、
前記番組情報サーバが、前記入力した放送局からの情報に基づいて、前記データベースに格納されている複数の番組編成パターンの中から放送局毎に一の番組編成パターンを選択するステップと、
前記番組情報サーバが、放送局から送信された放送情報を出力する受像機のチャネル選択に係るチャネル情報と、前記受像機で出力されている放送情報に関する所定の情報である所定情報の取得を要求する番組情報取得要求情報と、前記携帯端末のＩＤと、前記携帯端末の位置情報とを、前記携帯端末から受信するステップと、
前記番組情報サーバが、前記チャネル情報と前記携帯端末のＩＤと前記携帯端末の位置情報と前記番組情報取得要求情報とを前記携帯端末から受信すると、前記受信したチャネル情報と携帯端末の位置情報とに係る放送局を抽出し、前記選択された番組編成パターンに係る放送素材であって前記抽出した放送局と前記受信した時刻とに係る放送素材を前記データベースから抽出する抽出ステップと、
前記番組情報サーバが、前記受信した携帯端末のＩＤに基づいて、前記番組情報取得要求情報を送信した携帯端末に、前記抽出した放送素材に関連付けて前記データベースに格納されている番組情報を送信するステップと、
を有することを特徴とする番組情報提供方法。
【請求項１７】
前記通信部は、放送局から送信された放送情報を録画する録画再生装置との間で各種情報を送受信する通信部であり、
前記放送素材が番組宣伝に係る場合、前記番組宣伝に係る放送番組についてのチャネル情報及び放送開始時刻及び放送終了時刻が当該放送素材に関連付けられ、当該放送素材に係る番組情報は、当該放送番組に係るチャネル情報と放送開始時刻と放送終了時刻とを含み、
前記番組情報サーバが、前記チャネル情報と前記番組情報取得要求情報と前記携帯端末のＩＤと前記携帯端末の位置情報と共に録画再生装置のＩＤを前記携帯端末から受信するステップと、
前記番組情報サーバが、前記抽出した放送素材が番組宣伝に係る場合、当該番組宣伝に係る番組情報に基づいて、当該番組情報に係る放送番組を前記録画再生装置に録画予約させる情報である録画予約情報を作成するステップと、
前記番組情報サーバが、前記受信した録画再生装置のＩＤに基づいて、前記作成された録画予約情報を当該録画再生装置に送信するステップと、
を有することを特徴とする請求項１６に記載の番組情報提供方法。
【請求項１８】
前記番組情報サーバが、前記抽出した放送素材と前記受信したチャネル情報と携帯端末のＩＤと携帯端末の位置情報と前記受信した時刻とを関連付けた情報である視聴情報を記憶するステップと、
前記番組情報サーバが、前記記憶した視聴情報に基づいて、視聴率データを集計するステップと、
を有することを特徴とする請求項１６または請求項１７に記載の番組情報提供方法。
【請求項１９】
放送番組に関する各種情報を複数の放送局から入力する番組情報サーバであって、携帯端末との間で各種情報を送受信する通信部と、前記複数の放送局から入力した情報に基づいて放送局毎に複数作成されリアルタイムで更新される番組編成パターンであって、放送番組の放送時間帯の枠を放送番組単位で特定する情報である番組枠編成情報と、前記番組枠編成情報の放送番組と関連付けられた情報であって当該放送番組の放送時間帯の枠内における構成要素である放送素材の放送日時と素材枠時間とを含み当該放送番組の放送時間帯の枠を前記放送素材単位で特定する情報であるＱシート編成情報とを含む番組編成パターンを格納し、前記複数の放送局から入力した情報であって前記放送素材に関連する情報である番組情報を当該放送素材に関連付けて格納するデータベースとを備えた番組情報サーバに用いられる番組情報提供方法であって、
前記番組情報サーバが、前記入力した放送局からの情報に基づいて、前記データベースに格納されている複数の番組編成パターンの中から放送局毎に一の番組編成パターンを選択するステップと、
前記番組情報サーバが、前記選択された番組編成パターンに係る放送素材のうちの所定期間内の放送素材に係る番組情報を前記データベースから抽出する抽出ステップと、
前記番組情報サーバが、前記抽出した番組情報を前記携帯端末に送信するステップと、
前記番組情報サーバが、前記データベースに格納されている情報の更新の有無を監視するステップと、
前記番組情報サーバが、前記データベースに格納されている情報の更新があれば、更新後の情報を前記データベースから取得し、取得した情報の中から更新された部分に係る情報である差分情報のみを抽出するステップと、
前記番組情報サーバが、前記抽出した差分情報を前記携帯端末に送信するステップと、
を有することを特徴とする番組情報提供方法。
【請求項２０】
前記番組編成パターンに係る放送素材のうちの１又は２以上の放送素材に、当該放送素材に係る素材枠時間の変更が可能であることを示すアンタイム情報が付与され、
前記番組情報サーバが、前記入力した放送局からの情報に基づいて、前記アンタイム情報が付与された放送素材に係る素材枠時間を変更することを特徴とする請求項１６〜１９のいずれか１項に記載の番組情報提供方法。
【請求項２１】
放送番組に関する各種情報を複数の放送局から入力する番組情報サーバであって、前記複数の放送局から入力した情報に基づいて放送局毎に複数作成されリアルタイムで更新される番組編成パターンであって、放送番組の放送時間帯の枠を放送番組単位で特定する情報である番組枠編成情報と、前記番組枠編成情報の放送番組と関連付けられた情報であって当該放送番組の放送時間帯の枠内における構成要素である放送素材の放送日時と素材枠時間とを含み当該放送番組の放送時間帯の枠を前記放送素材単位で特定する情報であるＱシート編成情報とを含む番組編成パターンを格納し、前記複数の放送局から入力した情報であって前記放送素材に関連する情報である番組情報を当該放送素材に関連付けて格納するデータベースを備えた番組情報サーバと、携帯端末のＩＤと前記携帯端末の位置情報とを記憶する記憶部と前記番組情報サーバとの間で各種情報を送受信する通信部とを備えた携帯端末とを有する番組情報提供システムに用いられる番組情報提供方法であって、
前記番組情報サーバが、前記入力した放送局からの情報に基づいて、前記データベースに格納されている複数の番組編成パターンの中から放送局毎に一の番組編成パターンを選択するステップと、
前記携帯端末が、放送局から送信された放送情報を出力する受像機のチャネル選択に係るチャネル情報を前記受像機に送信するチャネル選択ステップと、
前記携帯端末が、前記受像機に送信されたチャネル情報を前記記憶部に記憶するステップと、
前記携帯端末が、前記受像機で出力されている放送情報に関する所定の情報である所定情報の取得を指示する番組情報取得指示ステップと、
前記携帯端末が、前記番組情報取得指示ステップで所定情報の取得が指示されると、前記所定情報の取得を要求する番組情報取得要求情報と共に、前記記憶部に記憶されているチャネル情報と携帯端末のＩＤと携帯端末の位置情報とを、前記番組情報サーバに送信するステップと、
前記番組情報サーバが、前記チャネル情報と前記番組情報取得要求情報と前記携帯端末のＩＤと前記携帯端末の位置情報とを、前記携帯端末から受信するステップと、
前記番組情報サーバが、前記チャネル情報と前記携帯端末のＩＤと前記携帯端末の位置情報と前記番組情報取得要求情報とを前記携帯端末から受信すると、前記受信したチャネル情報と携帯端末の位置情報とに係る放送局を抽出し、前記選択された番組編成パターンに係る放送素材であって前記抽出した放送局と前記受信した時刻とに係る放送素材を前記データベースから抽出する抽出ステップと、
前記番組情報サーバが、前記受信した携帯端末のＩＤに基づいて、前記番組情報取得要求情報を送信した携帯端末に、前記抽出した放送素材に関連付けて前記データベースに格納されている番組情報を送信するステップと、
前記携帯端末が、前記送信した番組情報取得要求情報に係る番組情報を前記番組情報サーバから受信するステップと、
前記携帯端末が、前記受信した番組情報を表示する表示ステップと、
を有することを特徴とする番組情報提供方法。
【請求項２２】
前記放送素材が番組宣伝に係る場合、前記番組宣伝に係る放送番組についてのチャネル情報及び放送開始時刻が当該放送素材に関連付けられ、当該放送素材に係る番組情報は、当該放送番組に係るチャネル情報と放送開始時刻とを含み、
前記携帯端末が、前記受信した番組情報が番組宣伝に係る場合、当該番組情報に係る放送番組の放送開始時刻になった旨を通知する第１の通知ステップと、
前記携帯端末が、前記第１の通知ステップで通知がされている番組情報に係る放送番組の視聴を指示する第１の視聴指示ステップと、
前記携帯端末が、前記第１の通知ステップで通知がされている場合に、前記第１の視聴指示ステップで視聴を指示されると、前記通知されている番組情報に係るチャネル情報を前記受像機に送信するステップと、
を有することを特徴とする請求項２１に記載の番組情報提供方法。
【請求項２３】
前記放送素材が番組宣伝に係る場合、前記番組宣伝に係る放送番組についてのチャネル情報及び放送開始時刻及び放送終了時刻が当該放送素材に関連付けられ、当該放送素材に係る番組情報は、当該放送番組に係るチャネル情報と放送開始時刻と放送終了時刻とを含み、
前記携帯端末が、前記受信した番組情報が番組宣伝に係る場合、当該番組情報に基づいて、当該番組情報に係る放送番組を録画再生装置に録画予約させる情報である録画予約情報を作成するステップと、
前記携帯端末が、前記作成された録画予約情報を前記録画再生装置に送信するステップと、
を有することを特徴とする請求項２１または請求項２２に記載の番組情報提供方法。
【請求項２４】
前記番組情報サーバは、前記携帯端末に送信した番組情報と当該携帯端末のＩＤとを関連付けて記憶するサーバ記憶部を有し、
前記番組情報サーバが、前記データベースに格納されている情報の更新の有無を監視するステップと、
前記番組情報サーバが、前記データベースに格納されている情報の更新があれば、更新後の情報を前記データベースから取得し、取得した情報の中から更新された部分に係る情報である差分情報のみを抽出するステップと、
前記番組情報サーバが、前記抽出した差分情報に係る番組情報に関連付けて前記サーバ記憶部に記憶されている携帯端末に、当該差分情報を送信するステップと、
前記携帯端末が、前記差分情報を受信するステップと、
前記携帯端末が、前記記憶部に記憶されている番組情報のうちから、前記受信した差分情報に係る番組情報を更新するステップと、
前記携帯端末が、前記更新した番組情報が番組宣伝に係る場合、前記受信した差分情報に係る番組情報を更新した旨を表示するステップと、
を有することを特徴とする請求項２１〜２３のいずれか１項に記載の番組情報提供方法。
【請求項２５】
前記番組情報サーバは、前記携帯端末に送信した番組情報と当該携帯端末のＩＤとを関連付けて記憶するサーバ記憶部を有し、
前記番組情報サーバが、前記データベースに格納されている情報の更新の有無を監視するステップと、
前記番組情報サーバが、前記データベースに格納されている情報の更新があれば、更新後の情報を前記データベースから取得し、取得した情報の中から更新された部分に係る情報である差分情報のみを抽出するステップと、
前記番組情報サーバが、前記抽出した差分情報に係る番組情報に関連付けて前記サーバ記憶部に記憶されている携帯端末に、当該差分情報を送信するステップと、
前記携帯端末が、前記差分情報を受信するステップと、
前記携帯端末が、前記記憶部に記憶されている番組情報のうちから、前記受信した差分情報に係る番組情報を更新するステップと、
前記携帯端末が、前記更新した番組情報が番組宣伝に係る場合、前記更新した番組情報に基づいて、当該番組情報に係る放送番組を前記録画再生装置に録画予約させる情報である録画予約情報を作成するステップと、
前記携帯端末が、前記作成された録画予約情報を前記録画再生装置に送信するステップと、
を有することを特徴とする請求項２３に記載の番組情報提供方法。
【請求項２６】
前記携帯端末が、前記受信した番組情報が番組宣伝に係る場合において、当該番組情報に係る放送番組の放送終了時刻から所定時間経過後、または、１日のうちの所定の時刻になった場合に、当該放送番組が前記録画再生装置に録画されている旨を通知する第２の通知ステップと、
前記携帯端末が、前記第２の通知ステップで通知がされている番組情報に係る放送番組の視聴を指示する第２の視聴指示ステップと、
前記携帯端末が、前記第２の通知ステップで通知がされている場合に、前記第２の視聴指示ステップで視聴を指示されると、前記通知されている番組情報に係る放送番組を、前記録画再生装置に再生させる情報である録画再生情報を作成するステップと、
前記携帯端末が、前記作成された録画再生情報を前記録画再生装置に送信するステップと、
を有することを特徴とする請求項２３に記載の番組情報提供方法。
【請求項２７】
放送番組に関する各種情報を複数の放送局から入力する番組情報サーバであって、前記複数の放送局から入力した情報に基づいて放送局毎に複数作成されリアルタイムで更新される番組編成パターンであって、放送番組の放送時間帯の枠を放送番組単位で特定する情報である番組枠編成情報と、前記番組枠編成情報の放送番組と関連付けられた情報であって当該放送番組の放送時間帯の枠内における構成要素である放送素材の放送日時と素材枠時間とを含み当該放送番組の放送時間帯の枠を前記放送素材単位で特定する情報であるＱシート編成情報とを含む番組編成パターンを格納し、前記複数の放送局から入力した情報であって前記放送素材に関連する情報である番組情報を当該放送素材に関連付けて格納するデータベースを備えた番組情報サーバと、記憶部と前記番組情報サーバとの間で各種情報を送受信する通信部とを備えた携帯端末とを有する番組情報提供システムに用いられる番組情報提供方法であって、
前記番組情報サーバが、前記入力した放送局からの情報に基づいて、前記データベースに格納されている複数の番組編成パターンの中から放送局毎に一の番組編成パターンを選択するステップと、
前記番組情報サーバが、前記選択された番組編成パターンに係る放送素材のうちの所定期間内の放送素材に係る番組情報を前記データベースから抽出する抽出ステップと、
前記番組情報サーバが、前記抽出した番組情報を前記携帯端末に送信するステップと、
前記携帯端末が、前記抽出した番組情報を受信するステップと、
前記携帯端末が、前記受信した番組情報を前記記憶部に記憶するステップと、
前記携帯端末が、放送局から送信された放送情報を出力する受像機のチャネル選択に係るチャネル情報を前記受像機に送信するチャネル選択ステップと、
前記携帯端末が、前記送信されたチャネル情報を前記記憶部に記憶するステップと、
前記携帯端末が、前記受像機で出力されている放送情報に関する所定の情報である所定情報の取得を指示する番組情報取得指示ステップと、
前記携帯端末が、前記番組情報取得指示ステップで所定情報の取得が指示されると、前記記憶部に記憶されている番組情報のうちから、前記指示された時刻と前記記憶部に記憶されているチャネル情報とに係る番組情報を抽出する抽出ステップと、
前記携帯端末が、前記抽出した番組情報を表示する表示ステップと、
を有することを特徴とする番組情報提供方法。
【請求項２８】
前記番組情報サーバが、前記データベースに格納されている情報の更新の有無を監視するステップと、
前記番組情報サーバが、前記データベースに格納されている情報の更新があれば、更新後の情報を前記データベースから取得し、取得した情報の中から更新された部分に係る情報である差分情報のみを抽出するステップと、
前記番組情報サーバが、前記抽出した差分情報を前記携帯端末に送信するステップと、
前記携帯端末が、前記差分情報を受信するステップと、
前記携帯端末が、前記記憶部に記憶されている番組情報のうちから、前記受信した差分情報に係る番組情報を更新するステップと、
を有することを特徴とする請求項２７に記載の番組情報提供方法。
【請求項２９】
放送番組に関する各種情報を複数の放送局から入力する番組情報サーバであって、前記複数の放送局から入力した情報に基づいて放送局毎に複数作成されリアルタイムで更新される番組編成パターンであって、放送番組の放送時間帯の枠を放送番組単位で特定する情報である番組枠編成情報と、前記番組枠編成情報の放送番組と関連付けられた情報であって当該放送番組の放送時間帯の枠内における構成要素である放送素材の放送日時と素材枠時間とを含み当該放送番組の放送時間帯の枠を前記放送素材単位で特定する情報であるＱシート編成情報とを含む番組編成パターンを格納し、前記複数の放送局から入力した情報であって放送時刻と放送内容に関する各種画像情報と受像機のチャネル選択に係るチャネル情報とを含む前記放送素材に関連する情報である番組情報を当該放送素材に関連付けて格納するデータベースを備えた番組情報サーバと、記憶部と前記番組情報サーバとの間で各種情報を送受信する通信部とを備えた携帯端末とを有する番組情報提供システムに用いられる番組情報提供方法であって、
前記番組情報サーバが、前記入力した放送局からの情報に基づいて、前記データベースに格納されている複数の番組編成パターンの中から放送局毎に一の番組編成パターンを選択するステップと、
前記番組情報サーバが、前記選択された番組編成パターンに係る放送素材のうちの所定期間内の放送素材に係る番組情報を前記データベースから抽出する抽出ステップと、
前記番組情報サーバが、前記抽出した番組情報を前記携帯端末に送信するステップと、
前記携帯端末が、前記抽出した番組情報を受信するステップと、
前記携帯端末が、前記受信した番組情報を前記記憶部に記憶するステップと、
前記携帯端末が、現在時刻に基づいて、前記記憶部に記憶されている番組情報のうちから、前記現在時刻に係る番組情報に含まれる一の画像情報を放送局毎に抽出する抽出ステップと、
前記携帯端末が、前記放送局毎に抽出した画像情報を表示部に表示するステップと、
前記携帯端末が、前記表示部に表示されている放送局毎の画像情報のうちから、一の画像情報を選択するステップと、
前記携帯端末が、前記選択された画像情報に係る番組情報に含まれるチャネル情報を前記受像機に送信すると共に、当該番組情報に含まれる各種画像情報のうちの２以上の画像情報を前記表示部に表示するステップと、
を有することを特徴とする番組情報提供方法。
【請求項３０】
複数の放送局から入力された放送番組に関する各種情報に基づいて放送局毎に複数作成されリアルタイムで更新される番組編成パターンであって、放送番組の放送時間帯の枠を放送番組単位で特定する情報である番組枠編成情報と、前記番組枠編成情報の放送番組と関連付けられた情報であって当該放送番組の放送時間帯の枠内における構成要素である放送素材の放送日時と素材枠時間とを含み当該放送番組の放送時間帯の枠を前記放送素材単位で特定する情報であるＱシート編成情報とを含む番組編成パターンを格納し、前記複数の放送局から入力した情報であって前記放送素材に関連する情報である番組情報を当該放送素材に関連付けて格納するデータベースと、前記入力した放送局からの情報に基づいて、前記データベースに格納されている複数の番組編成パターンの中から放送局毎に一の番組編成パターンを選択する手段とを有する番組情報サーバとの間で各種情報を送受信する携帯端末であって、
前記携帯端末の位置情報を記憶する記憶部と、
放送局から送信された放送情報を出力する受像機のチャネル選択に係るチャネル情報を前記受像機に送信するチャネル選択手段と、
前記受像機に送信されたチャネル情報を前記記憶部に記憶する手段と、
前記受像機で出力されている放送情報に関する所定の情報である所定情報の取得を指示する番組情報取得指示手段と、
前記番組情報取得指示手段によって所定情報の取得が指示されると、前記所定情報の取得を要求する番組情報取得要求情報と共に、前記記憶部に記憶されているチャネル情報と携帯端末の位置情報とを、前記番組情報サーバに送信する手段と、
前記選択された番組編成パターンに係る放送素材であって前記番組情報取得要求情報を前記番組情報サーバが受信した時刻と前記送信したチャネル情報と携帯端末の位置情報とに係る放送素材に関連付けて前記データベースに格納されている番組情報を前記番組情報サーバから受信する手段と、
前記受信した番組情報を表示する表示手段と、
を有することを特徴とする携帯端末。
【請求項３１】
前記放送素材が番組宣伝に係る場合、前記番組宣伝に係る放送番組についてのチャネル情報及び放送開始時刻が当該放送素材に関連付けられ、当該放送素材に係る番組情報は、当該放送番組に係るチャネル情報と放送開始時刻とを含み、
前記受信した番組情報が番組宣伝に係る場合、当該番組情報に係る放送番組の放送開始時刻になった旨を通知する第１の通知手段と、
前記第１の通知手段によって通知がされている番組情報に係る放送番組の視聴を指示する第１の視聴指示手段と、
前記第１の通知手段によって通知がされている場合に、前記第１の視聴指示手段によって視聴を指示されると、前記通知されている番組情報に係るチャネル情報を前記受像機に送信する手段と、
を有することを特徴とする請求項３０に記載の携帯端末。
【請求項３２】
前記放送素材が番組宣伝に係る場合、前記番組宣伝に係る放送番組についてのチャネル情報及び放送開始時刻及び放送終了時刻が当該放送素材に関連付けられ、当該放送素材に係る番組情報は、当該放送番組に係るチャネル情報と放送開始時刻と放送終了時刻とを含み、
前記受信した番組情報が番組宣伝に係る場合、当該番組情報に基づいて、当該番組情報に係る放送番組を録画再生装置に録画予約させる情報である録画予約情報を作成する手段と、
前記作成された録画予約情報を前記録画再生装置に送信する手段と、
を有することを特徴とする請求項３０または請求項３１に記載の携帯端末。
【請求項３３】
前記データベースに格納されている情報の更新があった場合に前記番組情報サーバが抽出する情報であって当該更新後の情報のうちの更新された部分に係る情報である差分情報を、前記番組情報サーバから受信する手段と、
前記記憶部に記憶されている番組情報のうちから、前記受信した差分情報に係る番組情報を更新する手段と、
前記更新した番組情報が番組宣伝に係る場合、前記受信した差分情報に係る番組情報を更新した旨を表示する手段と、
を有することを特徴とする請求項３０〜３２のいずれか１項に記載の携帯端末。
【請求項３４】
前記データベースに格納されている情報の更新があった場合に前記番組情報サーバが抽出する情報であって当該更新後の情報のうちの更新された部分に係る情報である差分情報を、前記番組情報サーバから受信する手段と、
前記記憶部に記憶されている番組情報のうちから、前記受信した差分情報に係る番組情報を更新する手段と、
前記更新した番組情報が番組宣伝に係る場合、前記更新した番組情報に基づいて、当該番組情報に係る放送番組を前記録画再生装置に録画予約させる情報である録画予約情報を作成する手段と、
前記作成された録画予約情報を前記録画再生装置に送信する手段と、
を有することを特徴とする請求項３２に記載の携帯端末。
【請求項３５】
前記受信した番組情報が番組宣伝に係る場合において、当該番組情報に係る放送番組の放送終了時刻から所定時間経過後、または、１日のうちの所定の時刻になった場合に、当該放送番組が前記録画再生装置に録画されている旨を通知する第２の通知手段と、
前記第２の通知手段によって通知がされている番組情報に係る放送番組の視聴を指示する第２の視聴指示手段と、
前記第２の通知手段によって通知されている場合に、前記第２の視聴指示手段によって視聴を指示されると、前記通知されている番組情報に係る放送番組を、前記録画再生装置に再生させる情報である録画再生情報を作成する手段と、
前記作成された録画再生情報を前記録画再生装置に送信する手段と、
を有することを特徴とする請求項３２に記載の携帯端末。
【請求項３６】
複数の放送局から入力された放送番組に関する各種情報に基づいて放送局毎に複数作成されリアルタイムで更新される番組編成パターンであって、放送番組の放送時間帯の枠を放送番組単位で特定する情報である番組枠編成情報と、前記番組枠編成情報の放送番組と関連付けられた情報であって当該放送番組の放送時間帯の枠内における構成要素である放送素材の放送日時と素材枠時間とを含み当該放送番組の放送時間帯の枠を前記放送素材単位で特定する情報であるＱシート編成情報とを含む番組編成パターンを格納し、前記複数の放送局から入力した情報であって前記放送素材に関連する情報である番組情報を当該放送素材に関連付けて格納するデータベースと、前記入力した放送局からの情報に基づいて、前記データベースに格納されている複数の番組編成パターンの中から放送局毎に一の番組編成パターンを選択する手段とを有する番組情報サーバとの間で各種情報を送受信する携帯端末であって、
前記選択された番組編成パターンに係る放送素材のうちの所定期間内の放送素材に係る番組情報を、前記番組情報サーバから受信する手段と、
前記受信した番組情報を記憶する記憶部と、
放送局から送信された放送情報を出力する受像機のチャネル選択に係るチャネル情報を前記受像機に送信するチャネル選択手段と、
前記送信されたチャネル情報を前記記憶部に記憶する手段と、
前記受像機で出力されている放送情報に関する所定の情報である所定情報の取得を指示する番組情報取得指示手段と、
前記番組情報取得指示手段によって所定情報の取得が指示されると、前記記憶部に記憶されている番組情報のうちから、前記指示された時刻と前記記憶部に記憶されているチャネル情報とに係る番組情報を抽出する抽出手段と、
前記抽出した番組情報を表示する表示手段と、
を有することを特徴とする携帯端末。
【請求項３７】
前記データベースに格納されている情報の更新があった場合に前記番組情報サーバが抽出する情報であって当該更新後の情報のうちの更新された部分に係る情報である差分情報を、前記番組情報サーバから受信する手段と、
前記記憶部に記憶されている番組情報のうちから、前記受信した差分情報に係る番組情報を更新する手段と、
を有することを特徴とする請求項３６に記載の携帯端末。
【請求項３８】
複数の放送局から入力された放送番組に関する各種情報に基づいて放送局毎に複数作成されリアルタイムで更新される番組編成パターンであって、放送番組の放送時間帯の枠を放送番組単位で特定する情報である番組枠編成情報と、前記番組枠編成情報の放送番組と関連付けられた情報であって当該放送番組の放送時間帯の枠内における構成要素である放送素材の放送日時と素材枠時間とを含み当該放送番組の放送時間帯の枠を前記放送素材単位で特定する情報であるＱシート編成情報とを含む番組編成パターンを格納し、前記複数の放送局から入力した情報であって放送時刻と放送内容に関する各種画像情報と受像機のチャネル選択に係るチャネル情報とを含む前記放送素材に関連する情報である番組情報を当該放送素材に関連付けて格納するデータベースと、前記入力した放送局からの情報に基づいて、前記データベースに格納されている複数の番組編成パターンの中から放送局毎に一の番組編成パターンを選択する手段とを有する番組情報サーバとの間で各種情報を送受信する携帯端末であって、
前記選択された番組編成パターンに係る放送素材のうちの所定期間内の放送素材に係る番組情報を、前記番組情報サーバから受信する手段と、
前記受信した番組情報を記憶する記憶部と、
現在時刻に基づいて、前記記憶部に記憶されている番組情報のうちから、前記現在時刻に係る番組情報に含まれる一の画像情報を放送局毎に抽出する抽出手段と、
前記放送局毎に抽出した画像情報を表示する表示部と、
前記表示部に表示されている放送局毎の画像情報のうちから、一の画像情報を選択する手段と、
前記選択された画像情報に係る番組情報に含まれるチャネル情報を前記受像機に送信すると共に、当該番組情報に含まれる各種画像情報のうちの２以上の画像情報を前記表示部に表示する手段と、
を有することを特徴とする携帯端末。
【発明の詳細な説明】
【技術分野】
【０００１】
本発明は、携帯電話機等の携帯端末を利用して、テレビ放送されている番組や番組宣伝、ＣＭ等に関する情報を取得する番組情報サーバ、番組情報提供システム、番組情報提供方法及び携帯端末に関する。
【背景技術】
【０００２】
従来は、テレビ番組の宣伝をする場合、テレビ番組に関する雑誌や新聞紙等の紙媒体にテレビ番組の広告を掲載してテレビ番組の宣伝をしている。また、テレビ放送を利用してテレビ放送の一部でテレビ番組の宣伝をしている。
【０００３】
紙媒体を利用してテレビ番組の宣伝をする場合、紙媒体に掲載されたテレビ番組の広告はその一覧性が優れているので、視聴者がテレビ番組を視覚的に把握することが容易である。たとえば、紙媒体に掲載されたテレビ番組に視聴者が興味を持ち、そのテレビ番組の視聴を所望する場合、所望のテレビ番組の番組開始時刻とチャネルとを視聴者が紙媒体から取得し、取得した番組開始時刻とチャネルとを使用して所望のテレビ番組を視聴する。
【０００４】
具体的には、紙媒体から取得した番組開始時刻とチャネルとを視聴者が記憶しておき、その番組開始時刻になったらテレビのチャネルを記憶したチャネルにして、所望のテレビ番組を視聴者が見ることができる。または、取得した番組開始時刻とチャネルとを利用して視聴者がビデオテープレコーダに録画予約し、録画した所望のテレビ番組を視聴者が見ることができる。
【０００５】
上記のように、実際の番組開始時刻に視聴する場合には、所望のテレビ番組と共に番組開始時刻とチャネルとを視聴者がその番組開始時刻まで覚えておく必要がある。なお、最近は、デジタル放送が始まり、多数のテレビ番組が存在しテレビ番組の宣伝も多いので、一度興味を持ったテレビ番組に対する視聴者の興味が時間の経過と共に薄れ、一度興味を持ったテレビ番組の存在自体を忘れる場合も多い。
【０００６】
そうすると、紙媒体を利用して実際の番組開始時刻に視聴する視聴者にテレビ番組の宣伝をする場合、宣伝によってテレビ番組に興味を持たせたとしても、時間の経過と共に視聴者が忘れてしまい、一度興味を持ったテレビ番組を視聴しないことも多く、テレビ番組の宣伝効果が低いという問題がある。
【０００７】
また、録画した所望のテレビ番組を視聴者が視聴する場合、録画予約が必要であり、この録画予約が煩雑であるという問題がある。この問題を解決するために、バーコードまたは識別番号を利用して録画予約の操作を容易に行うことができる録画予約装置が存在する。
【０００８】
しかし、現在は、多数のチャネルが存在し、テレビ番組の数自体が多いので、所望のテレビ番組を視聴者が録画予約できたとしても、録画された所望のテレビ番組の存在を視聴者が忘れてしまうことがあり、宣伝によって興味を持たれたテレビ番組が録画されたにも係わらず、視聴者が実際に見ない場合も多いという問題がある。
【０００９】
また、最近は、多数のテレビ番組を録画することができるＤＶＤレコーダ等の大容量録画再生装置が存在するので、この録画再生装置を使用して興味を持ったテレビ番組をその都度録画予約することが考えられる。
【００１０】
しかし、興味を持ったテレビ番組をその都度録画する場合は、録画されるテレビ番組の数が多いので、興味を持ったテレビ番組を実際に視聴する場合には、テレビ番組の検索が煩雑である。このため、宣伝によって興味を持たれたテレビ番組が録画されたにも係わらず、視聴者が実際に見ない場合も多いという問題がある。
【００１１】
つまり、紙媒体を利用してテレビ番組の宣伝をする場合、テレビ番組の一覧性が優れ、視聴者がテレビ番組を視覚的に把握することが容易であるが、テレビ番組の宣伝効率が悪いという問題がある。
【００１２】
一方、テレビ放送を利用してテレビ番組の宣伝をする場合、比較的多数の視聴者にテレビ番組の宣伝を視聴させることができるという効果がある。しかし、テレビの放送中に流れるテレビ番組の宣伝は放送時間が短いものが多いので、宣伝したテレビ番組に対して多数の視聴者に興味を持たせることができたとしても、テレビ番組名等を視聴者の記憶に残すことができない場合が多い。また、テレビ番組名等を記憶したとしても、テレビ番組の番組開始時刻とチャネルとを視聴者が記憶できないことも多い。
【００１３】
つまり、テレビ放送を利用してテレビ番組の宣伝をする場合、比較的多数の視聴者にテレビ番組の宣伝を視聴させることができ、多数の視聴者に興味を持たせることができるにもかかわらず、視聴者が実際に見ることができない場合が多く、テレビ番組の宣伝効率が悪いという問題がある。
【００１４】
なお、本発明に関連する発明として、特許文献１には、文字・画像表示部を備えた携帯電話やＰＨＳ等の移動体通信端末とテレビ受像機・録画装置のリモコンとを一体化させた高機能携帯端末と、テレビ放送番組用表とテレビ放送番組に関連する情報とを含むテレビ番組関連情報を格納したデータベースとで構成された通信システムが開示されている。また、高機能携帯端末の表示部にテレビ番組関連情報を表示させ、このテレビ番組関連情報を利用して、テレビ番組の選択を効率的に行うことができる旨が記載されている。
【００１５】
また、特許文献２には、ユーザがテレビのチャネルを選択又は変更した場合に、テレビ受像機に対してチャネルの選局に関する無線信号を携帯端末が送信し、前記チャネルを選択又は変更に応じて、ユーザ識別情報又は現在位置に関する情報とチャネルの選局に関する情報とを含む番組関連情報取得要求をサーバに対して携帯端末が送信し、このサーバからの番組関連情報を携帯端末が受信すると、受信した番組関連情報を携帯端末の表示装置に表示する番組関連情報提供システムが開示されている。また、サーバから受信した番組関連情報を利用して、ショッピング等を行うことができる旨が記載されている。
しかし、特許文献１、２に記載の技術は、テレビ番組の選択や現在放送中のテレビ番組に関連する情報の取得を行うことはできるが、テレビ番組放送中に流れるＣＭや他の番組の宣伝ＣＭ等の放送素材レベルの情報を特定できないので、これらのＣＭに係るテレビ番組に一度興味を持った視聴者をその後実際の視聴行動に結びつけることができず、テレビ番組の宣伝を効率的に行えないという問題がある。
【特許文献１】特開２００２−１３５８１０号公報
【特許文献２】特開２００３−１６９３５２号公報
【発明の開示】
【発明が解決しようとする課題】
【００１６】
一般的に、テレビ番組の視聴者は受身的である場合が多く、宣伝によって視覚的にテレビ番組に興味を持つことは多い。しかし、その興味はすぐに失われてしまうことが多い。
【００１７】
つまり、テレビ番組の宣伝をして視聴者に興味を持たれたとしても、時間の経過と共にその興味が薄れる場合が多い。このため、テレビ番組の宣伝をする場合には、宣伝によってテレビ番組に一度興味を持った視聴者を実際の視聴行動に結びつけることが重要である。
【００１８】
したがって、テレビ番組の宣伝をする場合には、視聴者に対してテレビ番組そのものを認知させる告知力と、認知されたテレビ番組の視聴欲求が出た瞬間に視聴者にそのテレビ番組に関する情報を提供でき、さらに視聴欲求を維持し続ける訴求力とが重要である。
【００１９】
本発明は、テレビ番組の宣伝をする場合に、テレビ番組に一度興味を持った視聴者を実際の視聴行動に結びつけることができ、テレビ番組の宣伝効率を飛躍的に高めることができる番組情報サーバ、番組情報提供システム、番組情報提供方法及び携帯端末を提供することを目的とする。
【課題を解決するための手段】
【００２０】
本発明は、放送番組に関する各種情報を複数の放送局から入力する番組情報サーバであって、携帯端末との間で各種情報を送受信する通信部と、前記複数の放送局から入力した情報に基づいて放送局毎に複数作成されリアルタイムで更新される番組編成パターンであって、放送番組の放送時間帯の枠を放送番組単位で特定する情報である番組枠編成情報と、前記番組枠編成情報の放送番組と関連付けられた情報であって当該放送番組の放送時間帯の枠内における構成要素である放送素材の放送日時と素材枠時間とを含み当該放送番組の放送時間帯の枠を前記放送素材単位で特定する情報であるＱシート編成情報とを含む番組編成パターンを格納し、前記複数の放送局から入力した情報であって前記放送素材に関連する情報である番組情報を当該放送素材に関連付けて格納するデータベースと、前記入力した放送局からの情報に基づいて、前記データベースに格納されている複数の番組編成パターンの中から放送局毎に一の番組編成パターンを選択する手段と、放送局から送信された放送情報を出力する受像機のチャネル選択に係るチャネル情報と、前記受像機で出力されている放送情報に関する所定の情報である所定情報の取得を要求する番組情報取得要求情報とを、前記携帯端末から受信する手段と、前記チャネル情報と前記番組情報取得要求情報とを前記携帯端末から受信すると、前記選択された番組編成パターンに係る放送素材であって前記受信したチャネル情報と前記受信した時刻とに係る放送素材を前記データベースから抽出する抽出手段と、前記番組情報取得要求情報を送信した携帯端末に、前記抽出した放送素材に関連付けて前記データベースに格納されている番組情報を送信する手段とを有することを特徴とする番組情報サーバ及びにこれに用いられる番組情報提供方法である。
本発明は、放送番組に関する各種情報を複数の放送局から入力する番組情報サーバであって、携帯端末との間で各種情報を送受信する通信部と、前記複数の放送局から入力した情報に基づいて放送局毎に複数作成されリアルタイムで更新される番組編成パターンであって、放送番組の放送時間帯の枠を放送番組単位で特定する情報である番組枠編成情報と、前記番組枠編成情報の放送番組と関連付けられた情報であって当該放送番組の放送時間帯の枠内における構成要素である放送素材の放送日時と素材枠時間とを含み当該放送番組の放送時間帯の枠を前記放送素材単位で特定する情報であるＱシート編成情報とを含む番組編成パターンを格納し、前記複数の放送局から入力した情報であって前記放送素材に関連する情報である番組情報を当該放送素材に関連付けて格納するデータベースと、前記入力した放送局からの情報に基づいて、前記データベースに格納されている複数の番組編成パターンの中から放送局毎に一の番組編成パターンを選択する手段と、放送局から送信された放送情報を出力する受像機のチャネル選択に係るチャネル情報と、前記受像機で出力されている放送情報に関する所定の情報である所定情報の取得を要求する番組情報取得要求情報と、前記携帯端末のＩＤと、前記携帯端末の位置情報とを、前記携帯端末から受信する手段と、前記チャネル情報と前記携帯端末のＩＤと前記携帯端末の位置情報と前記番組情報取得要求情報とを前記携帯端末から受信すると、前記受信したチャネル情報と携帯端末の位置情報とに係る放送局を抽出し、前記選択された番組編成パターンに係る放送素材であって前記抽出した放送局と前記受信した時刻とに係る放送素材を前記データベースから抽出する抽出手段と、前記受信した携帯端末のＩＤに基づいて、前記番組情報取得要求情報を送信した携帯端末に、前記抽出した放送素材に関連付けて前記データベースに格納されている番組情報を送信する手段とを有することを特徴とする番組情報サーバ及びこれに用いられる番組情報提供方法である。
本発明は、放送番組に関する各種情報を複数の放送局から入力する番組情報サーバであって、携帯端末との間で各種情報を送受信する通信部と、前記複数の放送局から入力した情報に基づいて放送局毎に複数作成されリアルタイムで更新される番組編成パターンであって、放送番組の放送時間帯の枠を放送番組単位で特定する情報である番組枠編成情報と、前記番組枠編成情報の放送番組と関連付けられた情報であって当該放送番組の放送時間帯の枠内における構成要素である放送素材の放送日時と素材枠時間とを含み当該放送番組の放送時間帯の枠を前記放送素材単位で特定する情報であるＱシート編成情報とを含む番組編成パターンを格納し、前記複数の放送局から入力した情報であって前記放送素材に関連する情報である番組情報を当該放送素材に関連付けて格納するデータベースと、前記入力した放送局からの情報に基づいて、前記データベースに格納されている複数の番組編成パターンの中から放送局毎に一の番組編成パターンを選択する手段と、前記選択された番組編成パターンに係る放送素材のうちの所定期間内の放送素材に係る番組情報を前記データベースから抽出する抽出手段と、前記抽出した番組情報を前記携帯端末に送信する手段と、前記データベースに格納されている情報の更新の有無を監視する手段と、前記データベースに格納されている情報の更新があれば、更新後の情報を前記データベースから取得し、取得した情報の中から更新された部分に係る情報である差分情報のみを抽出する手段と、前記抽出した差分情報を前記携帯端末に送信する手段とを有することを特徴とする番組情報サーバ及びこれに用いられる番組情報提供方法である。
【００２１】
本発明は、放送番組に関する各種情報を複数の放送局から入力する番組情報サーバと、前記番組情報サーバとの間で各種情報を送受信する携帯端末とを有する番組情報提供システムであって、前記番組情報サーバは、前記複数の放送局から入力した情報に基づいて放送局毎に複数作成されリアルタイムで更新される番組編成パターンであって、放送番組の放送時間帯の枠を放送番組単位で特定する情報である番組枠編成情報と、前記番組枠編成情報の放送番組と関連付けられた情報であって当該放送番組の放送時間帯の枠内における構成要素である放送素材の放送日時と素材枠時間とを含み当該放送番組の放送時間帯の枠を前記放送素材単位で特定する情報であるＱシート編成情報とを含む番組編成パターンを格納し、前記複数の放送局から入力した情報であって前記放送素材に関連する情報である番組情報を当該放送素材に関連付けて格納するデータベースと、前記入力した放送局からの情報に基づいて、前記データベースに格納されている複数の番組編成パターンの中から放送局毎に一の番組編成パターンを選択する手段と、放送局から送信された放送情報を出力する受像機のチャネル選択に係るチャネル情報と、前記受像機で出力されている放送情報に関する所定の情報である所定情報の取得を要求する番組情報取得要求情報と、前記携帯端末のＩＤと、前記携帯端末の位置情報とを、前記携帯端末から受信する手段と、前記チャネル情報と前記携帯端末のＩＤと前記携帯端末の位置情報と前記番組情報取得要求情報とを前記携帯端末から受信すると、前記受信したチャネル情報と携帯端末の位置情報とに係る放送局を抽出し、前記選択された番組編成パターンに係る放送素材であって前記抽出した放送局と前記受信した時刻とに係る放送素材を前記データベースから抽出する抽出手段と、前記受信した携帯端末のＩＤに基づいて、前記番組情報取得要求情報を送信した携帯端末に、前記抽出した放送素材に関連付けて前記データベースに格納されている番組情報を送信する手段とを有し、前記携帯端末は、前記携帯端末のＩＤと前記携帯端末の位置情報とを記憶する記憶部と、前記チャネル情報を前記受像機に送信するチャネル選択手段と、前記受像機に送信されたチャネル情報を前記記憶部に記憶する手段と、前記所定情報の取得を指示する番組情報取得指示手段と、前記番組情報取得指示手段によって所定情報の取得が指示されると、前記番組情報取得要求情報と共に、前記記憶部に記憶されているチャネル情報と携帯端末のＩＤと携帯端末の位置情報とを、前記番組情報サーバに送信する手段と、前記送信した番組情報取得要求情報に係る番組情報を前記番組情報サーバから受信する手段と、前記受信した番組情報を表示する表示手段とを有することを特徴とする番組情報提供システム、これに用いられる番組情報提供方法及び携帯端末である。
本発明は、放送番組に関する各種情報を複数の放送局から入力する番組情報サーバと、前記番組情報サーバとの間で各種情報を送受信する携帯端末とを有する番組情報提供システムであって、前記番組情報サーバは、前記複数の放送局から入力した情報に基づいて放送局毎に複数作成されリアルタイムで更新される番組編成パターンであって、放送番組の放送時間帯の枠を放送番組単位で特定する情報である番組枠編成情報と、前記番組枠編成情報の放送番組と関連付けられた情報であって当該放送番組の放送時間帯の枠内における構成要素である放送素材の放送日時と素材枠時間とを含み当該放送番組の放送時間帯の枠を前記放送素材単位で特定する情報であるＱシート編成情報とを含む番組編成パターンを格納し、前記複数の放送局から入力した情報であって前記放送素材に関連する情報である番組情報を当該放送素材に関連付けて格納するデータベースと、前記入力した放送局からの情報に基づいて、前記データベースに格納されている複数の番組編成パターンの中から放送局毎に一の番組編成パターンを選択する手段と、前記選択された番組編成パターンに係る放送素材のうちの所定期間内の放送素材に係る番組情報を前記データベースから抽出する抽出手段と、前記抽出した番組情報を前記携帯端末に送信する手段とを有し、前記携帯端末は、前記抽出した番組情報を受信する手段と、前記受信した番組情報を記憶する記憶部と、放送局から送信された放送情報を出力する受像機のチャネル選択に係るチャネル情報を前記受像機に送信するチャネル選択手段と、前記送信されたチャネル情報を前記記憶部に記憶する手段と、前記受像機で出力されている放送情報に関する所定の情報である所定情報の取得を指示する番組情報取得指示手段と、前記番組情報取得指示手段によって所定情報の取得が指示されると、前記記憶部に記憶されている番組情報のうちから、前記指示された時刻と前記記憶部に記憶されているチャネル情報とに係る番組情報を抽出する抽出手段と、前記抽出した番組情報を表示する表示手段とを有することを特徴とする番組情報提供システム、これに用いられる番組情報提供方法及び携帯端末である。
本発明は、放送番組に関する各種情報を複数の放送局から入力する番組情報サーバと、前記番組情報サーバとの間で各種情報を送受信する携帯端末とを有する番組情報提供システムであって、前記番組情報サーバは、前記複数の放送局から入力した情報に基づいて放送局毎に複数作成されリアルタイムで更新される番組編成パターンであって、放送番組の放送時間帯の枠を放送番組単位で特定する情報である番組枠編成情報と、前記番組枠編成情報の放送番組と関連付けられた情報であって当該放送番組の放送時間帯の枠内における構成要素である放送素材の放送日時と素材枠時間とを含み当該放送番組の放送時間帯の枠を前記放送素材単位で特定する情報であるＱシート編成情報とを含む番組編成パターンを格納し、前記複数の放送局から入力した情報であって放送時刻と放送内容に関する各種画像情報と受像機のチャネル選択に係るチャネル情報とを含む前記放送素材に関連する情報である番組情報を当該放送素材に関連付けて格納するデータベースと、前記入力した放送局からの情報に基づいて、前記データベースに格納されている複数の番組編成パターンの中から放送局毎に一の番組編成パターンを選択する手段と、前記選択された番組編成パターンに係る放送素材のうちの所定期間内の放送素材に係る番組情報を前記データベースから抽出する抽出手段と、前記抽出した番組情報を前記携帯端末に送信する手段とを有し、前記携帯端末は、前記抽出した番組情報を受信する手段と、前記受信した番組情報を記憶する記憶部と、現在時刻に基づいて、前記記憶部に記憶されている番組情報のうちから、前記現在時刻に係る番組情報に含まれる一の画像情報を放送局毎に抽出する抽出手段と、前記放送局毎に抽出した画像情報を表示する表示部と、前記表示部に表示されている放送局毎の画像情報のうちから、一の画像情報を選択する手段と、前記選択された画像情報に係る番組情報に含まれるチャネル情報を前記受像機に送信すると共に、当該番組情報に含まれる各種画像情報のうちの２以上の画像情報を前記表示部に表示する手段とを有することを特徴とする番組情報提供システム、これに用いられる番組情報提供方法及び携帯端末である。
【発明の効果】
【００２２】
本発明によれば、テレビ番組の宣伝をする場合に、テレビ番組に一度興味を持った視聴者を実際の視聴行動に結びつけることができ、テレビ番組の宣伝効率を飛躍的に高めることができるという効果を奏する。
【発明を実施するための最良の形態】
【００２３】
以下に、本発明の実施の形態である番組情報提供システム、番組情報提供方法及び携帯端末について、図面を参照して詳細に説明する。
【００２４】
［第１の実施の形態］
図１は、本発明の第１の実施の形態である番組情報提供システム１の構成を示すブロック図である。
【００２５】
番組情報提供システム１は、移動体通信網１０と、インターネット２０と、テレビ受像機１００と、ＰＶＲ１１０と、携帯電話２００と、リアルタイム番組情報サーバ３００と、電子商取引サーバ４００と、放送局５００とを有する。
【００２６】
移動体通信網１０を介して、携帯電話２００とリアルタイム番組情報サーバ３００とが接続され、インターネット２０を介して、ＰＶＲ１１０とリアルタイム番組情報サーバ３００とが接続されている。
【００２７】
また、リアルタイム番組情報サーバ３００は、電子商取引サーバ４００と放送局５００とに接続されている。なお、リアルタイム番組情報サーバ３００と放送局５００とは、ＶＰＮ（仮想専用線）や専用線等で接続されている。
【００２８】
テレビ受像機１００は、放送局５００から送信されたアナログ放送用の放送映像を受信し、受信した放送映像（放送番組、番組宣伝、ＣＭ等）を表示部に表示する通常のアナログ放送用のテレビ受像機である。また、テレビ受像機１００は、携帯電話２００のリモコン機能によって所定の動作を実行する。なお、アナログ放送用のテレビ受像機の代わりに、デジタル放送用のテレビ受像機を使用するようにしてもよい。
【００２９】
ＰＶＲ１１０は、Ｗｅｂ接続機能を有するＤＶＤレコーダやＨＤＤレコーダ等のディスクレコーダであって、放送局５００から送信された放送情報を受信し、受信した放送情報を録画する録画再生装置である。また、ＰＶＲ１１０は、インターネット２０を介して、リアルタイム番組情報サーバ３００から録画予約情報を直接取得することができ、携帯電話２００のリモコン機能によって所定の動作を実行する。なお、録画の際には、録画した放送情報を検索することができるように、放送情報と共に所定のＩＤ（例えば、番組ＩＤ）を記録する。これによって、携帯電話２００のリモコン操作によって、録画した放送情報を容易に検索することができる。
【００３０】
電子商取引サーバ４００は、リアルタイム番組情報サーバ３００から携帯電話２００に送信された番組情報の中に埋め込まれたリンク情報に基づいて照会されるＣＭの個々の商品サイトやテレビショッピング番組内の特定商品の販売サイト等の各種サイトを格納する電子商取引サーバである。
【００３１】
図２は、携帯電話２００の内部構成を示すブロック図である。
携帯電話２００は、アンテナ２０１と、移動体通信部２０２と、赤外線送信部２０３と、無線通信部２０４と、制御部２０５と、ディスプレイ２０６と、スピーカ２０７と、入力部２０８とを有する。
【００３２】
また、携帯電話２００は、視聴者によって入力部２０８から操作されたキーに応じて、テレビ受像機１００とＰＶＲ１１０とに対して所定の動作を指示することができるリモコン機能を有する。なお、リモコン機能は、テレビ受像機１００やＰＶＲ１１０のＯＮ／ＯＦＦ、チャネル選局、録画予約、録画番組のピックアップ等の機能と、リアルタイム番組情報サーバ３００から取得した番組情報に基づいて、テレビ受像機１００とＰＶＲ１１０との動作を指示する機能とを有する。
【００３３】
移動体通信部２０２は、アンテナ２０１を介して、移動体通信網１０と接続し、リアルタイム番組情報サーバ３００との間で、各種情報を送受信する通信部である。
【００３４】
赤外線送信部２０３は、制御部２０５の制御に基づいて、所定の動作を指示する赤外線信号をテレビ受像機１００またはＰＶＲ１１０に送信するものである。なお、赤外線通信の代わりに、ｂｌｕｅｔｏｏｔｈ等の近距離無線通信を使用するようにしてもよい。
【００３５】
無線通信部２０４は、移動体通信部２０２を補う無線通信部であって、インターネット通信等において高速通信を実行する無線通信部である。
【００３６】
制御部２０５は、ＣＰＵ２０５ａと、ＲＡＭ２０５ｂと、ＲＯＭ２０５ｃとを有するマイクロコンピュータであって、携帯電話２００を構成する各部に接続され、各種制御処理を実行するものである。また、制御部２０５は、時刻を計測するカウンタ（図示せず）を内蔵する。
【００３７】
ＣＰＵ２０５ａは、ＲＯＭ２０５ｃに格納された各種制御プログラムに基づいて各種制御を実行するものである。また、ＣＰＵ２０５ａは、入力部２０８によって生成された操作情報を入力すると、入力された操作情報に基づいて、制御情報を生成し、生成した制御情報を各部に出力するものである。
【００３８】
ＲＡＭ２０５ｂは、ＣＰＵ２０５ａのワーク領域等に使用されるメモリである。
ＲＯＭ２０５ｃは、ＣＰＵ２０５ａに実行させるプログラムやウェブを閲覧するブラウザプログラム等の各種制御プログラムが格納されているメモリである。
【００３９】
なお、ブラウザプログラムとして、各携帯電話会社が提供する通常のプログラムを使用し、インターネット２０に接続されたサイトをディスプレイ２０６に表示する閲覧機能を携帯電話２００が有する。なお、本システム専用のブラウザプログラムを設ける必要はない。
【００４０】
ディスプレイ２０６は、制御部２０５の制御に基づいて、リアルタイム番組情報サーバ３００から受信した番組情報やＣＰＵ２０５ａが生成した画像情報等の各種画像情報を表示する表示部である。
【００４１】
スピーカ２０７は、制御部２０５の制御に基づいて、各種音声情報を出力するスピーカである。
【００４２】
入力部２０８は、テレビ受像機１００のチャネルを選択するチャネル選択キー２０８ａ（図示せず）と番組情報取得キー２０８ｂ（図示せず）と消去キー２０８ｃ（図示せず）と視聴キー２０８ｄ（図示せず）とを含む各種入力キーと、音声入力部とを備え、視聴者に操作されたキーに応じて、操作情報を生成し、生成した操作情報をＣＰＵ２０５ａに出力するものである。なお、前記各種入力キーは、テンキー、上下左右キーや各種機能キー、タッチパネル等で構成される。
【００４３】
また、携帯電話２００は、人工衛星から電波を受信して位置を検出するＧＰＳ装置（図示せず）を有し、このＧＰＳ装置によって現在の位置を測定し、測定した現在位置を、位置情報としてＲＡＭ２０５ｂに格納する。なお、ＧＰＳ装置を携帯電話２００に設ける代わりに、携帯電話２００の所持する視聴者が入力部２０８から位置情報を入力し、入力された位置情報をＲＡＭ２０５ｂに格納するようにしてもよい。
【００４４】
また、携帯電話２００のユーザＩＤとＰＶＲ１１０のユーザＩＤとは、それぞれをネットワーク上で特定するものであり、たとえば、ＩＰアドレスと関連付けられ、ＲＡＭ２０５ｂに格納される。
【００４５】
図３は、リアルタイム番組情報サーバ３００の内部構成を示すブロック図である。
【００４６】
リアルタイム番組情報サーバ３００は、通信部３０１と、ハードディスク３０２と、制御部３０３と、ディスプレイ３０４と、入力部３０５とを有する。
【００４７】
図４は、リアルタイム番組情報サーバ３００の内部構成を機能的に示すブロック図である。
【００４８】
リアルタイム番組情報サーバ３００は、通信部３０１と、制御部３０３と、主記憶部３０６と、視聴ログＤＢ３４０と、編成情報ＤＢ３５０と、番組情報ＤＢ３６０とを有する。
【００４９】
通信部３０１は、マルチキャスト通信部３０１ａと、Ｗｅｂ通信部３０１ｂとを有する。マルチキャスト通信部３０１ａは、移動体通信網１０と接続し、携帯電話２００に対して、ＩＰマルチキャスト通信やストリーミング通信を実行するものである。また、Ｗｅｂ通信部３０１ｂは、移動体通信網１０またはインターネット２０と接続し、携帯電話２００またはＰＶＲ１１０との間で各種情報を送受信する通信部である。
【００５０】
ハードディスク３０２は、各種アプリケーションプログラムが格納されているハードディスクである。
【００５１】
制御部３０３は、ＣＰＵ３０３ａとＲＡＭ３０３ｂとＲＯＭ３０３ｃとを有し、リアルタイム番組情報サーバ３００を構成する各部に接続され、各種制御処理を実行するものである。また、制御部３０３は、時刻を計測するカウンタ（図示せず）を内蔵する。
【００５２】
ディスプレイ３０４は、制御部３０３の制御に基づいて各種情報を表示する表示部である。
【００５３】
入力部３０５は、各種入力キーを備え、操作されたキーに応じて、操作情報を生成し、生成した操作情報をＣＰＵ３０３ａに出力するものである。
【００５４】
主記憶部３０６は、放送局５００から出力された放送用番組情報に係る各種情報を格納する記憶部であって、ハードディスク３０２に格納されている。
【００５５】
視聴ログＤＢ３４０は、視聴ログと制御ログとから構成され、携帯電話２００から受信した番組情報取得要求に係る各種情報を視聴ログとして収拾し、収拾した各種情報に基づいて視聴率や接触率等のテレビ視聴データを処理するデータベースであって、ハードディスク３０２に格納されている。なお、携帯電話２００のリモコン機能によって、ＰＶＲ１１０がリモコン操作された場合に、このリモコン操作に応じた録画情報・録画番組選択情報を、携帯電話２００がリアルタイム番組情報サーバ３００に出力し、この録画情報・録画番組選択情報を視聴ログＤＢ３４０に格納し、この録画情報・録画番組選択情報に基づいて、録画率や録画視聴率を視聴ログＤＢ３４０が集計することができる。また、移動体通信網１０を介して、携帯電話２００とリアルタイム番組情報サーバ３００とを常時接続し、携帯電話２００のリモコン機能によって、携帯電話２００がテレビ受像機１００またはＰＶＲ１１０をリモコン操作した場合に、このリモコン操作に応じたチャネル情報や録画情報・録画番組選択情報（番組ＩＤ等）等と、位置情報とを、携帯電話２００がリアルタイム番組情報サーバ３００にリアルタイムで出力し、このチャネル情報等と位置情報と共に時刻を視聴ログＤＢ３４０に随時格納するようにしてもよい。この場合に、チャネル情報と位置情報と時刻とに基づいて、リアルタイムで視聴率等を視聴ログＤＢ３４０が集計することができる。また、録画情報・録画番組選択情報に基づいて、録画率や録画視聴率を視聴ログＤＢ３４０が集計することができる。
【００５６】
また、視聴ログＤＢ３４０は、携帯電話２００のユーザＩＤによって携帯電話会社の提供する課金・認証機能等を利用した電子商取引等の購買履歴や消費者アンケート調査等とのマッチングを行なうことによって、視聴ログに格納された視聴履歴と実際の購買行動とを関連付ける調査を効率的に実施することができる。また、前記視聴率等の調査に関しては、リアルタイム番組情報サーバ３００を使用することによって、視聴ログＤＢ３４０に生成される視聴ログが即座に算出されるので、実際のテレビ視聴の変動をほぼリアルタイムで調査することができる。
【００５７】
さらに、リアルタイム番組情報サーバ３００を使用することによって、放送直前までの番組編成の変更データを反映させられることができるので、従来の視聴率調査の方法に比べ、放送番組の進行に応じた視聴率の変化を迅速かつ正確に把握することができる。
【００５８】
図５は、放送局５００からリアルタイム番組情報サーバ３００に出力する情報の流れを模式的に示す図である。
【００５９】
放送局５００の内部編成は、アーカイブと、報道と、制作と、広報と、営業・編成と、編成と、送出とで構成されている。第１の実施の形態では、１つの放送局５００からリアルタイム番組情報サーバ３００に出力される情報についてのみ説明するが、日本国内に存在する複数の放送局からリアルタイム番組情報サーバ３００に出力される情報についても同様である。なお、第１の実施の形態では、放送局５００の「局ＩＤ」を「○○テレビ」とし、所定地域の放送チャネルを「Ｘチャネル」とする。
【００６０】
アーカイブには番組アーカイブＣＭバンク５０１が設けられ、報道には報道支援システム５０２が設けられ、制作には番組制作システム５０３が設けられ、広報には広報宣伝ＤＢ５０４が設けられ、営業・編成には営放システム５０５が設けられ、編成にはＰｌａｙＬｉｓｔデータサーバ５０６が設けられ、送出には番組自動送出装置５０７が設けられている。これらの装置・システムにおいて、各担当者から各種情報が入力されると、入力された情報がリアルタイム番組情報サーバ３００に出力される。
【００６１】
具体的には、番組アーカイブＣＭバンク５０１は番組メタデータ３６４を出力し、報道支援システム５０２はアンタイム情報３５４を出力し、番組制作システム５０３はアンタイム情報３５４を出力し、広報宣伝ＤＢ５０４は番組宣伝情報３６２を出力し、営放システム５０５は番組枠編成情報３５１とＱシート編成情報３５２と番組基本情報３６１と番組素材情報３６３とを出力し、ＰｌａｙＬｉｓｔデータサーバ５０６はプレイリスト情報３５３を出力し、番組自動送出装置５０７はアンタイム情報３５４を出力する。
【００６２】
なお、放送局５００からリアルタイム番組情報サーバ３００に出力されるデータは、編成データと番組内容データとの２つのグループに分けることができる。編成データは、番組枠編成情報３５１と、Ｑシート編成情報３５２と、プレイリスト情報３５３と、アンタイム情報３５４とから構成されるデータであり、番組内容データは、番組基本情報３６１と、番組宣伝情報３６２と、番組素材情報３６３と、番組メタデータ３６４とから構成されるデータである。
【００６３】
また、放送局５００から出力された編成データを一次的に集計する編成情報ＤＢ３５０と、放送局５００から出力された番組内容データを一次的に集計する番組情報ＤＢ３６０とから、主記憶部３０６に格納されている各データベース（番宣ＤＢ３１０、ＣＭＤＢ３２０、番組本編ＤＢ３３０）が構成されている。
【００６４】
図６は、「○○テレビ」における番組枠編成情報３５１と、Ｑ（Ｃｕｅ）シート編成情報３５２との一部区間を概略的に示す図である。
【００６５】
図７は、編成情報ＤＢ３５０に格納される情報を概念的に示す図である。
番組枠編成情報３５１は、「○○テレビ」において放送される放送番組の放送時間帯の枠を特定する情報である。具体的には、図７に示すように、「番組ＩＤ」と「局ＩＤ」と「放送日」と「番組開始時刻」と「番組枠時間」との情報を含み、テレビ番組単位で作成される表である。「局ＩＤ」は、放送局を特定するＩＤであり、「番組ＩＤ」は、番組を特定するＩＤである。
【００６６】
たとえば、番組枠編成情報３５１において、平成１６年２月１９日の１９時００分〜２０時００分の枠に「○○ニュース」が設定され、２０時００分〜２０時０５分の枠に「○○旅行」が設定されているとする。なお、スポーツ中継の延長や緊急ニュース等によって、放送番組の番組枠に変動が生じる場合があるので、番組枠編成情報３５１として、複数の番組編成パターンが予め作成され、複数の番組編成パターンのうちの１つが使用される。なお、通常は、約２０通りの番組編成パターンが作成されるが、第１の実施の形態では、図７に示すように、番組編成パターン３５１ａ〜ｃの３通りが作成されているとする。
【００６７】
Ｑシート編成情報３５２は、「○○テレビ」において放送される放送番組の放送時間帯の枠を、ＣＭや番組宣伝の時間間隔のレベル（秒単位で設定）で特定する情報である。具体的には、Ｑシート編成情報３５２は、図７に示すように、番組枠編成情報３５１の「番組ＩＤ」と関連付けられた情報であって、「素材名」と「素材ＩＤ」と「素材開始時刻」と「素材枠時間」と「素材タイプ」と「テロップ情報」との情報を含み、秒単位で作成される表である。「素材名」は、放送時間帯の枠内における構成要素である素材の名称である。「素材ＩＤ」は、前記各素材に付与されるＩＤであり、「素材開始時刻」は、前記各素材の枠の開始時刻であり、「素材枠時間」は、前記各素材の枠の時間である。また、「素材タイプ」において、「確定」は、「素材枠時間」が固定していることを示す情報であり、「自動」は、直前の「素材枠時間」の変更に従って、変更されることを示す情報であり、「アンタイム」は、アンタイム情報３５４によって「素材枠時間」が変更されることを示す情報である。「テロップ情報」は、番組放送中に流れる文字情報の存在を示す情報である。
【００６８】
たとえば、図６（２）に示すように、「○○ニュース」の枠には、「タイトル」と「ＣＭ１〜５」と「本編１、２」と「番宣（番組宣伝）Ａ〜Ｃ」とが設定され、「○○旅行」の枠には、「本編１」と「局宣（放送局宣伝）」とが設定されている。なお、「番宣Ａ」は、『○○料理ショー』の番組宣伝として、平成１６年２月１９日の１９時０２分１５秒〜１９時０２分３０秒の枠に設定され、「番宣Ｂ」は、『ドラマ○○』の番組宣伝として、平成１６年２月１９日の１９時２９分４５秒〜１９時３０分００秒の枠に設定され、「番宣Ｃ」は、「時代劇○○武士」の番組宣伝として、平成１６年２月１９日の１９時５９分３０秒〜２０時００分００秒の枠に設定されているとする。
【００６９】
ＣＭや番宣は、テレビ番組の本編に比べて編成の変更頻度が圧倒的に高く、放送開始直前まで変更される可能性が高い。また、スポーツ番組や報道番組等では、本編部分も含めて時刻不確定な手動による素材切替（アンタイム運用）を実施する場合が多い。このため、Ｑシート編成情報３５２は、放送局５００の編成システム等と連動し逐次リアルタイムで更新される必要があるので、番組枠編成情報３５１と同様に、複数の素材編成パターンが予め作成され、複数の素材編成パターンのうちの１つが使用される。なお、通常は、約２０通りの素材編成パターンが作成されるが、第１の実施の形態では、図７に示すように、「○○ニュース」の番組ＩＤ「ＤＲ０４２５１３」に関連付けて、素材編成パターン３５２ａ〜ｃの３通りが作成されている。
【００７０】
編成情報ＤＢ３５０は、図７に示すように、番組枠編成情報３５１の「番組ＩＤ」にＱシート編成情報３５２が関連付けられて構成されるデータベースである。また、編成情報ＤＢ３５０は、番組枠編成情報３５１と同様に、複数の番組編成パターンが予め作成されている。なお、通常は、約２０通りの番組編成パターンが作成されるが、第１の実施の形態では、編成パターン３５０ａ〜ｉの９通りが作成されているとする。なお、編成パターン３５０ｄは、編成パターン３５０ａの各枠を３０分遅らせた編成パターンとする。
【００７１】
プレイリスト情報３５３は、スポーツ中継の延長や緊急ニュース等によって、放送番組やＣＭ、番組宣伝等の放送時間枠に変動が生じた場合に、編成パターン３５０ａ〜ｉの中から、この変動に最も対応できる番組パターンを選択するための情報である。具体的には、編成パターン３５０ａが使用されている場合に、スポーツ中継の放送番組の延長（例えば、３０分）によって、放送番組やＣＭ、番組宣伝等の放送時間枠に変動が生じた場合に、ＰｌａｙＬｉｓｔデータサーバ５０６から編成パターン３５０ｄを選択する旨のプレイリスト情報３５３が入力されると、スポーツ中継の延長の直前まで使用されていた編成パターン３５０ａから、各枠を３０分遅らせた編成パターン３５０ｄに変更する。
【００７２】
アンタイム情報３５４は、手動切替による時刻不確定番組素材の放送時間を特定する情報であり、Ｑシート編成情報３５２において、「素材タイプ」の欄に「アンタイム」が設定されている「素材枠時間」を変更する情報である。
【００７３】
たとえば、１９時０２分１５秒〜１９時０２分３０秒の枠に設定されている「番宣Ａ」（素材名『○○料理ショー』、素材ＩＤ「ＢＳ０４５１４３」）の放送時間帯を、５秒間延長する変更をする場合に、報道支援システム５０２、番組制作システム５０３、番組自動送出装置５０７のいずれかから、５秒間延長の変更指示が手動入力されると、入力された装置がアンタイム情報３５４を作成し、作成したアンタイム情報３５４がリアルタイム番組情報サーバ３００に入力され、リアルタイム番組情報サーバ３００が「番宣Ａ」の放送時間帯を、５秒間延長する変更をする。
【００７４】
図８は、番組情報ＤＢ３６０に格納される情報を概念的に示す図である。
番組基本情報３６１は、「番組ＩＤ」と「番組名」と「エピソード」と「ＥＧＰ情報」と「映像種類」とを含む情報である。
【００７５】
「エピソード」は、シリーズ番組やレギュラー番組において、これらの番組における話数（第○○話等）を特定するＩＤである。「ＥＧＰ情報」は、テレビジョン放送波に重畳されるＡＲＩＢ（社団法人電波産業会）が規定するデジタルテレビ受像機に表示させるＥＧＰ情報である。
【００７６】
番組宣伝情報３６２は、「番組ＩＤ」と「番組ロゴ」と「番宣原稿」と「番宣写真」と「番宣（素材ＩＤ）」とを含む情報である。
【００７７】
「番組ロゴ」は、番組を表すロゴマークであり、例えば、図１５（２）、図１６（２）に示すものである。「番宣原稿」は、番組の宣伝用原稿文である。「番宣写真」は、番組の宣伝用写真である。
【００７８】
番組素材情報３６３は、「素材ＩＤ」と「素材名」と「素材尺」と「音声モード」と「画角」とを含む情報であり、図６（２）に示す番組本編内の詳細項目や、ＣＭや番組宣伝の枠レベルの項目を特定する情報である。
【００７９】
番組メタデータ３６４は、「素材内時間」と「リンク先」と「認証」と「連動データ」とを含む情報であり、図６（２）に示す番組本編内において、詳細項目を特定する情報である。たとえば、番組がドラマであれば、番組本編内におけるドラマの中の各シーンを所定の間隔で特定し、それぞれを「本編のシーン１」「本編のシーン２」等のように項目に分けて特定する情報である。また、番組がテレビショップ番組であれば、番組本編内におけるテレビショップ番組の中で紹介される各商品毎に所定の項目を設定し、項目に分けられた各商品を特定する情報である。
【００８０】
図９は、主記憶部３０６に格納される番宣ＤＢ３１０とＣＭＤＢ３２０と番組本編ＤＢ３３０とを概念的に示す図である。
【００８１】
図９に示すように、番宣ＤＢ３１０とＣＭＤＢ３２０と番組本編ＤＢ３３０とのそれぞれは、放送局５００から出力された編成データを一次的に集計する編成情報ＤＢ３５０と、放送局５００から出力された番組内容データを一次的に集計する番組情報ＤＢ３６０とから構成されている。編成情報ＤＢ３５０と番組情報ＤＢ３６０とに格納されている情報は、素材の内容に応じて、番宣ＤＢ３１０とＣＭＤＢ３２０と番組本編ＤＢ３３０とのそれぞれに格納される。具体的には、素材ＩＤによって識別される。例えば、図６（２）に示す「番宣Ａ」（素材名『○○料理ショー』、素材ＩＤ「ＢＳ０４５１４３」）は、番組宣伝なので、番宣ＤＢ３１０に格納される。また、図６（２）に示す「ＣＭ１」（図７に示すＱシート編成情報３５２の素材名「○○携帯会社」、素材ＩＤ「ＣＭ０３２７１５」）は、ＣＭなので、ＣＭＤＢ３２０に格納される。また、図６（２）に示す「タイトル」（図７に示すＱシート編成情報３５２の素材名「○○ニュース」、素材ＩＤ「ＴＴ０４２５１３」）は、番組のタイトルなので、番組本編ＤＢ３３０に格納される。なお、番宣ＤＢ３１０の「元番組ＩＤ」は、番組宣伝に係る番組に番組宣伝を関連付けるためのＩＤであり、これにより、番組宣伝に係る番組と番組宣伝とを関連付けることができ、番宣ＤＢ３１０から番組宣伝に係る番組の番組情報を抽出することができる。
【００８２】
つまり、リアルタイム番組情報サーバ３００は、放送局５００から出力された各種情報を集約し、集約した各種情報を番組（イベント）ＩＤや素材ＩＤに基づいて統合的に関連付け、関連付けた情報を編成や素材の変更に応じてリアルタイムで更新するサーバである。
【００８３】
また、リアルタイム番組情報サーバ３００は、番宣ＤＢ３１０とＣＭＤＢ３２０と番組本編ＤＢ３３０とのそれぞれを複数の地域毎に格納し、携帯電話２００から受信したチャネルと、時刻と、位置情報とに基づいて、番宣ＤＢ３１０とＣＭＤＢ３２０と番組本編ＤＢ３３０とのいずれかから、番組情報を抽出するサーバである。
【００８４】
次に、番組情報提供システム１の動作について説明する。
図１０は、番組情報提供システム１における番組予約動作を示すフローチャートである。
【００８５】
第１の実施の形態では、携帯電話２００のリモコン機能を利用して、視聴者が通常のテレビ番組をテレビ受像機１００で視聴している場合において、携帯電話２００から放送中の番組宣伝情報を取得する動作について説明する。
【００８６】
視聴者がテレビ番組を見るために、携帯電話２００のリモコン機能を利用して、テレビ受像機１００の電源をＯＮする（Ｓ１０１）。この場合に、視聴者が手動でテレビ受像機１００の電源をＯＮするようにしてもよい。
【００８７】
携帯電話２００のリモコン機能を利用して、視聴者が入力部２０８のチャネル選択キー２０８ａを押下し、テレビ受像機１００のチャネルを選択する（Ｓ１０２）。入力部２０８のチャネル選択キー２０８ａが押下されると、押下されたチャネル選択キー２０８ａに関するチャネル情報を赤外線送信部２０３からテレビ受像機１００へ送信すると共に、押下されたチャネル選択キー２０８ａに関するチャネル情報をＲＡＭ２０５ｂに格納する（Ｓ１０３）。なお、第１の実施の形態では、直近で押下されたチャネル情報のみをＲＡＭ２０５ｂに格納するが、所定数のチャネル選択履歴情報をＲＡＭ２０５ｂに格納するようにしてもよい。
【００８８】
赤外線送信部２０３からチャネル情報をテレビ受像機１００が受信すると、受信したチャネル情報に基づいてテレビ受像機１００の表示を切り替える。
【００８９】
携帯電話２００でチャネル（例えば、Ｘチャネル）を選択した視聴者が、テレビ受像機１００のテレビ放送（例えば、図６に示す「○○ニュース」：平成１６年２月１９日の１９時００分〜２０時００分放送）を見ている場合に、テレビ放送中に流れた番組宣伝ＣＭ（例えば、図６に示す「番宣Ａ（『○○料理ショー』）」：平成１６年２月１９日の１９時０２分１５秒〜１９時０２分３０秒放送）を見て、この番組宣伝ＣＭのテレビ番組を視聴（又は録画）したいと思った場合（興味を持った場合）、視聴者が携帯電話２００の番組情報取得キー２０８ｂを押下する（Ｓ１０４）。なお、テレビ受像機１００においてテレビ放送の視聴の開始から、携帯電話２００を使用したチャネルの変更をしていない場合には、番組情報取得キー２０８ｂを押下する前にチャネル選択キーを押下しておく必要がある。
【００９０】
番組情報取得キー２０８ｂが押下されると、ＲＡＭ２０５ｂに格納されている直近で選択されたチャネル情報（Ｘチャネル）と共に、番組情報取得を要求する番組情報取得要求情報と、ＲＡＭ２０５ｂに格納されている携帯電話２００のユーザＩＤと位置情報とを、移動体通信部２０２からリアルタイム番組情報サーバ３００に送信する（Ｓ１０５）。この場合に、Ｗｅｂ上で送信してもよく、電子メールを使用して送信するようにしてもよい。ただし、この送信時刻が正確になるような通信手段を使用する必要がある。
【００９１】
リアルタイム番組情報サーバ３００がチャネル情報と番組情報取得要求情報と携帯電話２００のユーザＩＤと位置情報とを受信する（Ｓ１０６）と、受信したチャネル情報と番組情報取得要求情報と携帯電話２００のユーザＩＤと位置情報とに関連付けて、受信した時刻（例えば、平成１６年２月１９日の１９時０２分２５秒）をＲＡＭ３０３ｂに格納する（Ｓ１０７）。続いて、ＲＡＭ３０３ｂに格納されている受信時刻とチャネル情報と位置情報とに基づいて、主記憶部３０６に格納されているデータベースから、素材ＩＤを抽出する（Ｓ１０８）。具体的には、図９に示す番宣ＤＢ３１０とＣＭＤＢ３２０と番組本編ＤＢ３３０とから、受信したチャネル情報「Ｘチャネル」と位置情報とに基づいて、局ＩＤ（例えば、○○テレビ）を抽出し、抽出した局ＩＤと受信時刻（平成１６年２月１９日の１９時０２分２５秒）とに該当する素材ＩＤ「ＢＳ０４５１４３」（項目３１０ａ）を抽出する。
【００９２】
続いて、抽出した素材ＩＤに関連付けて主記憶部３０６のデータベースに格納されている番組情報を、リアルタイム番組情報サーバ３００が、Ｓ１０６で受信した携帯電話２００のユーザＩＤに基づいて、番組情報取得を要求した携帯電話２００に送信する（Ｓ１０９）。具体的には、図９に示す項目３１０ａの各情報を送信する。
【００９３】
また、抽出した素材ＩＤとチャネル情報と携帯電話２００のユーザＩＤと位置情報と受信時刻とを関連付けた視聴情報を視聴ログＤＢ３４０の視聴ログに格納する（Ｓ１０９）。視聴ログＤＢ３４０は、視聴ログに格納されている視聴情報に基づいて、視聴率データを集計する。また、携帯電話２００に送信した番組情報と、携帯電話２００のユーザＩＤとを関連付けて、視聴ログＤＢ３４０の制御ログに格納する（Ｓ１０９）。
【００９４】
リアルタイム番組情報サーバ３００が送信した番組情報（所定情報）を、携帯電話２００が受信する（Ｓ１１０）と、受信した番組情報をＲＡＭ２０５ｂに格納し（Ｓ１１１）、番組情報に含まれる番組ロゴ等の画像情報をディスプレイ２０６に表示する（Ｓ１１２）。例えば、番組ロゴと共に、チャネルと番組開始日時と番組終了日時とをディスプレイ２０６に表示し、視聴者が視覚的に容易に認識できるようにする。
【００９５】
続いて、受信した番組情報に含まれているチャネルと番組開始時刻と番組終了時刻と番組ＩＤとの録画予約情報を使用して、受信した番組情報に係るテレビ番組をＰＶＲ１１０で録画するための録画予約情報を作成し、作成した録画予約情報を赤外線送信部２０３からＰＶＲ１１０に送信する（Ｓ１１３）。ＰＶＲ１１０が録画予約情報を受信すると、受信した録画予約情報に基づいて、録画予約を登録する。
【００９６】
なお、ＲＡＭ２０５ｂにＰＶＲ１１０のＩＤを予め格納しておき、Ｓ１０５において、チャネル情報と番組情報取得要求情報と携帯電話２００のユーザＩＤと位置情報と共に、ＲＡＭ２０５ｂに格納されたＰＶＲ１１０のＩＤを、移動体通信部２０２からリアルタイム番組情報サーバ３００に送信し、また、Ｓ１０９において、番組情報取得を要求した携帯電話２００に番組情報を送信すると共に、この番組情報に基づいたＰＶＲ１１０を録画予約するための録画予約情報を作成し、作成した録画予約情報をリアルタイム番組情報サーバ３００がＰＶＲ１１０にＰＶＲ１１０のＩＤに基づいて送信するようにしてもよい。この場合には、Ｓ１１３において、携帯電話２００からＰＶＲ１１０への録画予約動作を実行しなくてもよい。このようにすれば、ＰＶＲ１１０の傍らに携帯電話２００を所持する視聴者が存在しなくても、ＰＶＲ１１０の録画予約を容易に行うことができる。
【００９７】
続いて、携帯電話２００を所持する視聴者がテレビ受像機１００のテレビ放送を見ている状態において、上記動作を繰り返し（Ｓ１０２〜Ｓ１１３）、携帯電話２００のリモコン機能を利用して、テレビ受像機１００の電源ＯＦＦが指示されると（Ｓ１１４）、終了する。
【００９８】
なお、リアルタイム番組情報サーバ３００が携帯電話２００からＷｅｂ経由で番組情報取得要求された場合において、要求された番組情報についてＷｅｂ上で即座に回答を送信せずに時差回答を実行し、要求された番組情報をリアルタイム番組情報サーバ３００が携帯電話２００へ電子メールで送信するようにしてもよい。また、テレビ受像機１００で「○○ニュース」（平成１６年２月１９日の１９時００分〜２０時００分の枠に設定）を見て、この「○○ニュース」における各ニュースに登場する事件等についての詳細情報等を取得する場合に、上記制御動作を適用することができる。つまり、番組本編内において所定の間隔で分けられた「○○ニュース」の中の各ニュースの項目を特定する素材ＩＤを抽出することによって、図８に示す番組メタデータ３６４における各ニュースに登場する各事件についての詳細情報（各事件に係る「リンク先」「ファイル名」等）を取得する。また、テレビ受像機１００でテレビショッピング番組を見て、このテレビショッピング番組で紹介される各商品についての詳細情報等を取得する場合に、上記制御動作を適用することができる。つまり、番組本編内においてテレビショップ番組の中で紹介される各商品毎に設定された項目を特定する素材ＩＤを抽出することによって、図８に示す番組メタデータ３６４における各商品についての詳細情報（各商品の内容に係る「リンク先」「ファイル名」等）を取得する。また、テレビ受像機１００でドラマ番組を見て、この番組における各シーンに登場する人や物についての詳細情報等を取得する場合に、上記制御動作を適用することができる。つまり、番組本編内において所定の間隔で分けられたドラマの中の各シーンの項目を特定する素材ＩＤを抽出することによって、図８に示す番組メタデータ３６４における各シーンに登場する人や物についての詳細情報（人や物に係る「リンク先」「ファイル名」等）を取得する。
【００９９】
図１１は、番組情報提供システム１における番組予約更新動作を示すフローチャートである。
【０１００】
制御部３０３は、主記憶部３０６に格納されている番宣ＤＢ３１０と、ＣＭＤＢ３２０と、番組本編ＤＢ３３０とを定期的に監視し、いずれかのデータベースにおいて更新があるか否かを監視する（Ｓ２０１）。スポーツ中継の延長や緊急ニュース等によって、放送番組やＣＭ、番組宣伝等の放送時間枠に変動が生じ、編成パターンに変更があった場合等のように、いずれかのデータベースにおいて更新があれば（Ｓ２０１）、更新があったデータベースから更新後のデータを取得する（Ｓ２０２）。
【０１０１】
取得したデータと視聴ログＤＢ３４０の制御ログに格納されている取得前のデータとを比較し、取得したデータの中から更新された部分のみを抽出する（Ｓ２０３）。
【０１０２】
続いて、取得したデータの中から抽出した部分に関連付けて前記制御ログに格納されている携帯電話２００に、この抽出した部分を差分情報として送信する（Ｓ２０４）。また、制御ログに格納されている取得前のデータについて、この抽出した部分を更新する。
【０１０３】
携帯電話２００の制御部２０５は、リアルタイム番組情報サーバ３００から差分情報を受信したか否かを定期的に監視し（Ｓ２０５）、リアルタイム番組情報サーバ３００から差分情報を受信すれば、ＲＡＭ２０５ｂに格納されている番組情報の中で、受信した差分情報に係る番組情報を更新する（Ｓ２０６）。続いて、番組情報を更新した旨を表示する（Ｓ２０７）。
【０１０４】
具体的には、更新した番組情報に含まれる番組ロゴ等の画像情報をディスプレイ２０６に表示する（Ｓ２０７）。例えば、番組ロゴとチャネルと変更後の番組開始日時と変更後の番組終了日時と共に、「『○○料理ショー』の放送時間が変更になりました。」のメッセージをディスプレイ２０６に表示し、視聴者が視覚的に変更を容易に認識できるようにする。
【０１０５】
続いて、更新した番組情報に含まれているチャネルと番組開始時刻と番組終了時刻と番組ＩＤとの録画予約情報を使用して、赤外線送信部２０３からＰＶＲ１１０に、更新した番組情報に係るテレビ番組を予約する録画予約情報を送信する（Ｓ２０８）。この送信と共に、更新前に登録されていた録画予約を消去する録画予約消去情報を番組ＩＤに基づいて作成し、作成した録画予約消去情報を送信し、更新前に登録されていた録画予約を消去するようにしてもよい。ＰＶＲ１１０が録画予約情報を受信すると、受信した録画予約情報に基づいて、録画予約を登録する。
【０１０６】
なお、図１０に示すＳ１０９において、録画予約情報をリアルタイム番組情報サーバ３００がＰＶＲ１１０に送信した場合には、携帯電話２００に差分情報を送信すると共に、更新された番組情報に基づいたＰＶＲ１１０を録画予約するための録画予約情報を作成し、作成した録画予約情報をリアルタイム番組情報サーバ３００がＰＶＲ１１０にＰＶＲ１１０のＩＤに基づいて送信する。この送信と共に、更新前に登録されていた録画予約を消去する録画予約消去情報を送信し、更新前に登録されていた録画予約を消去するようにしてもよい。
【０１０７】
図１２は、番組情報提供システム１における予約番組視聴動作を示すフローチャートである。
この制御動作は、携帯電話２００を所持する視聴者が、『○○料理ショー』を実際の放送時間帯に視聴する場合の動作である。
【０１０８】
ＲＡＭ２０５ｂに格納された番組情報に基づいて、番組情報に含まれる『○○料理ショー』の番組開始時刻の所定時間前（例えば、２時間前）の時刻に達したか否かを判断し（Ｓ３０１）、所定時刻に達していれば、番組情報に含まれる画像ロゴと「『○○料理ショー』の番組開始時刻の２時間前です。なお、今後『○○料理ショー』の通知を中止させる場合には、消去キー２０８ｃを押して下さい。」のメッセージとをディスプレイ２０６に表示し、携帯電話２００を所持する視聴者が実際の放送時間に『○○料理ショー』の放送を見ることができるように通知する（Ｓ３０２）。また、「『○○料理ショー』の番組開始時刻の２時間前です。」の音声メッセージをＣＰＵ２０５ａが生成し、生成した音声メッセージをスピーカ２０７から出力し、画像表示と共に音声で通知するようにしてもよい。
【０１０９】
なお、『○○料理ショー』の番組開始時刻の所定時間前に、所定の間隔で表示をするようにしてもよい。例えば、１時間前、２時間前、３時間前のように、３時間前から１時間間隔で行う。
【０１１０】
続いて、通知動作を実行している場合（Ｓ３０２）に、消去キー２０８ｃが押下されたか否かを判断し（Ｓ３０３）、通知動作の実行中に消去キー２０８ｃが押下されれば、通知動作を実行している番組情報をＲＡＭ２０５ｂから消去する。このようにすることによって、携帯電話２００を所持する視聴者が、通知されている『○○料理ショー』に興味を失っている場合に、以後の通知を中止することができる。なお、通知動作の実行中に消去キー２０８ｃが押下された場合に、通知動作を実行している番組情報に係るＰＶＲ１１０の録画予約を中止する録画予約消去情報をＰＶＲ１１０に送信するようにしてもよい。
【０１１１】
続いて、通知動作の開始から所定時間（例えば、２０秒間）が経過すれば、通知動作を停止する（Ｓ３０４）。具体的には、ディスプレイ２０６の表示を消去し、スピーカ２０７の音声出力を停止する。なお、入力部２０８における何らかのキー操作によって、通知動作を停止させるようにしてもよい。
【０１１２】
続いて、『○○料理ショー』の番組開始時刻になったか否かを判断し（Ｓ３０５）、番組開始時刻になれば、ディスプレイ２０６に番組情報に含まれる画像ロゴと「『○○料理ショー』の番組開始時刻です。これを見る場合には、テレビ受像機１００にリモコンの信号が届くようにして、視聴キー２０８ｄを押して下さい。なお、『○○料理ショー』の録画予約を解除する場合には、消去キー２０８ｃを押して下さい。」のメッセージとを表示し、携帯電話２００を所持する視聴者が実際の放送時間に『○○料理ショー』の放送を見ることができるように通知する（Ｓ３０６）。なお、この音声メッセージをＣＰＵ２０５ａが生成し、生成した音声メッセージをスピーカ２０７から出力し、画像表示と共に音声で通知するようにしてもよい。また、『○○料理ショー』の番組開始時刻の所定時間前（例えば、５分前）に、この通知をするようにしてもよい。また、この所定時間を予め設定しておくようにしてもよい。
【０１１３】
続いて、通知動作を実行している場合（Ｓ３０６）に、視聴キー２０８ｄが押下されたか否かを判断し（Ｓ３０７）、通知動作の実行中に視聴キー２０８ｄが押下されれば、通知動作を実行している番組情報に係るチャネル情報をテレビ受像機１００に送信する（Ｓ３０８）。なお、テレビ受像機１００が電源ＯＦＦの場合があるので、この送信の前に、電源ＯＮ情報をテレビ受像機１００にリモコン送信するようにしてもよい。
【０１１４】
続いて、通知動作の実行中に視聴キー２０８ｄが押下された番組情報をＲＡＭ２０５ｂから消去する（Ｓ３０９）。
【０１１５】
なお、携帯電話２００を所持する視聴者の傍らに、テレビ受像機１００が存在しない場合には、携帯電話２００で通知されているテレビ番組を視聴者が視聴することができない。
【０１１６】
しかし、ＰＶＲ１１０には『○○料理ショー』が録画されるので、ＰＶＲ１１０に録画される『○○料理ショー』を、『○○料理ショー』の番組終了後に視聴者が視聴することができる。
【０１１７】
また、通知動作を実行している場合（Ｓ３０６）に、視聴キー２０８ｄが押下されなければ（Ｓ３０７）、消去キー２０８ｃが押下されたか否かを判断し（Ｓ３１０）、消去キー２０８ｃが押下されれば、通知動作の実行中に消去キー２０８ｃが押下された番組情報をＲＡＭ２０５ｂから消去する（Ｓ３０９）。
【０１１８】
通知動作を実行している場合（Ｓ３０６）に、視聴キー２０８ｄが押下されず（Ｓ３０７）、消去キー２０８ｃが押下されなければ（Ｓ３１０）、通知動作の開始から所定時間の経過後（例えば、１分間）に、通知動作を停止する（Ｓ３１１）。具体的には、ディスプレイ２０６の表示を消去し、スピーカ２０７の音声出力を停止する。なお、入力部２０８における何らかのキー操作によって、通知動作を停止させるようにしてもよい。
【０１１９】
このようにすることによって、携帯電話２００を所持する視聴者が、通知されている『○○料理ショー』に興味を失っている場合に、以後の通知を中止することができる。なお、通知動作の実行中に消去キー２０８ｃが押下された場合に、通知動作を実行している番組情報に係るＰＶＲ１１０の録画予約を中止する録画予約消去情報をＰＶＲ１１０に送信するようにしてもよい。
【０１２０】
図１３は、番組情報提供システム１における予約番組視聴動作を示すフローチャートである。
【０１２１】
この制御動作は、携帯電話２００を所持する視聴者が、『○○料理ショー』の放送終了後に、ＰＶＲ１１０に録画されたものを視聴する場合の動作である。
【０１２２】
ＲＡＭ２０５ｂに格納された番組情報に基づいて、番組情報に含まれる『○○料理ショー』の番組終了時刻が経過したか否かを判断し（Ｓ４０１）、『○○料理ショー』の番組終了時刻が経過していれば、番組終了時刻の経過後、所定時間が経過（例えば、２時間）したか否かを判断し（Ｓ４０２）、番組終了時刻の経過後、所定時間が経過していれば、番組情報に含まれる画像ロゴと「『○○料理ショー』がＰＶＲ１１０に録画されています。これを見る場合には、テレビ受像機１００とＰＶＲ１１０とにリモコンの信号が届くようにして、視聴キー２０８ｄを押して下さい。なお、ＰＶＲ１１０に録画されている『○○料理ショー』を消去する場合には、消去キー２０８ｃを押して下さい。」のメッセージとをディスプレイ２０６に表示し、携帯電話２００を所持する視聴者が、ＰＶＲ１１０に録画された『○○料理ショー』を視聴することができるように通知する（Ｓ４０３）。なお、このメッセージの音声情報をＣＰＵ２０５ａが生成し、生成したメッセージをスピーカ２０７から出力し、画像表示と共に音声で通知するようにしてもよい。
【０１２３】
また、『○○料理ショー』の番組終了時刻の経過後、所定の間隔で表示をするようにしてもよい。例えば、２時間後、２４時間後、３６時間後のように、所定の時間間隔で行う。また、この間隔を予め設定しておくようにしてもよい。
【０１２４】
続いて、通知動作を実行している場合（Ｓ４０３）に、視聴キー２０８ｄが押下されたか否かを判断し（Ｓ４０４）、通知動作の実行中に視聴キー２０８ｄが押下されれば、ＰＶＲ１１０の録画情報を出力する旨の録画情報出力情報をテレビ受像機１００に送信し、通知動作を実行している番組情報に係る『○○料理ショー』の録画再生を指示する録画再生指示情報を『○○料理ショー』の番組ＩＤに基づいて作成し、作成したＰＶＲ１１０に送信する（Ｓ４０５）。この送信の前に、電源ＯＮ情報をテレビ受像機１００とＰＶＲ１１０とにリモコン送信するようにしてもよい。なお、赤外線送信部２０３から録画再生指示情報をＰＶＲ１１０が受信すると、受信した録画再生指示情報に係る番組『○○料理ショー』を番組ＩＤに基づいて検索し、録画再生を実行する。
【０１２５】
続いて、通知動作の実行中に視聴キー２０８ｄが押下された番組情報をＲＡＭ２０５ｂから消去する（Ｓ４０６）。
【０１２６】
また、通知動作を実行している場合（Ｓ４０３）に、視聴キー２０８ｄが押下されなければ（Ｓ４０４）、消去キー２０８ｃが押下されたか否かを判断し（Ｓ４０７）、消去キー２０８ｃが押下されれば、通知動作の実行中に消去キー２０８ｃが押下された番組情報をＲＡＭ２０５ｂから消去する（Ｓ４０６）。
【０１２７】
このようにすることによって、携帯電話２００を所持する視聴者が、通知されている『○○料理ショー』に興味を失っている場合に、以後の通知を中止することができる。
【０１２８】
通知動作を実行している場合（Ｓ４０３）に、視聴キー２０８ｄが押下されず（Ｓ４０４）、消去キー２０８ｃが押下されなければ（Ｓ４０７）、通知動作の開始から所定時間（例えば、１分間）の経過後に、通知動作を停止させる（Ｓ４０８）。具体的には、ディスプレイ２０６の表示を消去し、スピーカ２０７の音声出力を停止する。なお、入力部２０８における何らかのキー操作によって、通知動作を停止させるようにしてもよい。
【０１２９】
なお、通知動作の実行中に消去キー２０８ｃが押下された場合に、通知動作を実行している番組情報に係るＰＶＲ１１０の録画内容を消去する録画消去情報をＰＶＲ１１０に送信するようにしてもよい。
【０１３０】
上記動作で示した各所定時間と所定の間隔とメッセージとは、ＲＡＭ２０５ｂに予め格納されている。なお、各所定時間と所定の間隔とメッセージとを入力部２０８から随時入力し、ＲＡＭ２０５ｂに格納するようにしてもよい。また、予約した番組終了時刻の経過後に（Ｓ４０１）、１日のうちの所定の時刻（例えば、夜の９時、１０時等）になったか否かを判断し（Ｓ４０２）、所定の時刻になった場合に、Ｓ４０３の通知をするようにしてもよい。なお、ＲＡＭ２０５ｂに格納された番組情報が複数存在する場合には、格納されている番組情報のうちの１つ又は２以上の番組情報をディスプレイ２０６に順次表示（または複数の番組情報を一度に表示）し、または音声を出力し、Ｓ４０３の通知を実行する。このように、視聴者が都合のよい時間に通知することによって、視聴者を実際に視聴行動に結び付けることができる。
【０１３１】
［第２の実施の形態］
本発明の第２の実施の形態は、マルチキャスト方式で番組情報を携帯電話２００に配信するものである。
【０１３２】
図１４は、本発明の第２の実施の形態である番組情報提供システム１における番組予約動作を示すフローチャートである。
【０１３３】
制御部３０３は、主記憶部３０６に格納されている番宣ＤＢ３１０と、ＣＭＤＢ３２０と、番組本編ＤＢ３３０との番組情報のうちの所定期間内（例えば、１週間分）の番組情報を抽出し、抽出した所定期間内の番組情報をマルチキャスト通信部３０１ａがＩＰマルチキャスト通信を実行し、一斉同報送信によって、携帯電話２００に配信する（Ｓ５０１）。この場合に、配信される地域の番組情報を送信する。また、この配信を携帯電話２００からの要求に応じて実行するようにしてもよい。
【０１３４】
リアルタイム番組情報サーバ３００が配信した番組情報を、携帯電話２００が受信すると、受信した番組情報をＲＡＭ２０５ｂに格納する（Ｓ５０５）。例えば、図９に示す番宣ＤＢ３１０とＣＭＤＢ３２０と番組本番ＤＢ３３０との１週間分の番組情報をＲＡＭ２０５ｂに格納する。この場合に、番組情報を受信した旨と、所定期間内（例えば、直近の１時間分）の番組情報とをディスプレイ２０６に表示するようにしてもよい。
【０１３５】
続いて、制御部３０３は、主記憶部３０６に格納されている番宣ＤＢ３１０と、ＣＭＤＢ３２０と、番組本編ＤＢ３３０とを定期的に監視し、いずれかのデータベースにおいて更新があるか否かを監視する（Ｓ５０２）。いずれかのデータベースにおいて更新があれば、更新があったデータベースから更新後のデータを取得し、取得したデータの中から更新された部分のみを抽出する（Ｓ５０３）。
【０１３６】
続いて、取得したデータの中から抽出した部分を差分情報として、マルチキャスト通信部３０１ａがＩＰマルチキャスト通信を実行し、一斉同報送信によって、携帯電話２００に配信する（Ｓ５０４）。
【０１３７】
携帯電話２００の制御部２０５は、リアルタイム番組情報サーバ３００から差分情報を受信したか否かを定期的に監視し（Ｓ５０６）、リアルタイム番組情報サーバ３００から差分情報を受信すれば、ＲＡＭ２０５ｂに格納されている番組情報の中で、受信した差分情報に係る部分を更新する（Ｓ５０７）。
【０１３８】
続いて、更新した部分が、既に番組予約をした番組情報に関するものであるか否かを判断し（Ｓ５０８）、更新した部分が、既に番組予約をした番組情報に関するものであれば、番組予約をした番組情報に含まれているチャネルと更新後の番組開始時刻と更新後の番組終了時刻との録画予約情報を使用して、赤外線送信部２０３からＰＶＲ１１０に、更新した番組情報に係るテレビ番組を予約する録画予約情報を送信する（Ｓ５０９）。この送信と共に、更新前に登録されていた録画予約を消去する録画予約消去情報を送信し、更新前に登録されていた録画予約を消去するようにしてもよい。ＰＶＲ１１０が録画予約情報を受信すると、受信した録画予約情報に基づいて、録画予約を登録する。
【０１３９】
続いて、携帯電話２００のリモコン機能を利用して、視聴者が入力部２０８のチャネル選択キー２０８ａを押下し、テレビ受像機１００のチャネルを選択されたか否かを判断し（Ｓ５１０）、チャネル選択キー２０８ａが押下されると、押下されたチャネル選択キー２０８ａに関するチャネル情報を赤外線送信部２０３からテレビ受像機１００へ送信すると共に、押下されたチャネル選択キー２０８ａに関するチャネル情報をＲＡＭ２０５ｂに格納する（Ｓ５１１）。なお、第２の実施の形態では、直近で押下されたチャネル情報のみをＲＡＭ２０５ｂに格納するが、所定数のチャネル選択履歴情報をＲＡＭ２０５ｂに格納するようにしてもよい。
【０１４０】
赤外線送信部２０３からチャネル情報をテレビ受像機１００が受信すると、受信したチャネル情報に基づいてテレビ受像機１００の表示を切り替える。
【０１４１】
携帯電話２００でチャネルを選択した視聴者が、テレビ受像機１００のテレビ放送を見ている場合に、テレビ放送中に流れた番組宣伝ＣＭを見て、番組宣伝ＣＭのテレビ番組（例えば『○○料理ショー』）を視聴（又は録画）したいと思った場合（興味を持った場合）、視聴者が携帯電話２００の番組情報取得キー２０８ｂを押下する（Ｓ５１２）。なお、テレビ受像機１００においてテレビ放送の視聴の開始から、携帯電話２００を使用してチャネルの変更をしていない場合には、番組情報取得キー２０８ｂを押下する前にチャネル選択キーを押下しておく必要がある。
【０１４２】
番組情報取得キー２０８ｂが押下されると、ＲＡＭ２０５ｂに格納されている直近で選択されたチャネル情報に関連付けて、番組情報取得キー２０８ｂが押下された時刻をＲＡＭ２０５ｂに格納する（Ｓ５１３）。続いて、ＲＡＭ２０５ｂに格納されている受信時刻とチャネル情報とに基づいて、ＲＡＭ２０５ｂに格納されている番組情報から、素材ＩＤを抽出する（Ｓ５１４）。
【０１４３】
続いて、抽出した素材ＩＤに関連付けてＲＡＭ２０５ｂに格納されている番組情報を番組予約情報として、ＲＡＭ２０５ｂに格納し（Ｓ５１５）、番組予約情報に含まれる番組ロゴ等の画像情報をディスプレイ２０６に表示する（Ｓ５１６）。例えば、番組ロゴと共に、チャネルと番組開始日時と番組終了日時とをディスプレイ２０６に表示し、視聴者が視覚的に容易に認識できるようにする。
【０１４４】
続いて、番組予約情報に含まれているチャネルと番組開始時刻と番組終了時刻との録画予約情報を使用して、赤外線送信部２０３からＰＶＲ１１０に、受信した番組情報に係るテレビ番組を予約する録画予約情報を送信する（Ｓ５１７）。ＰＶＲ１１０が録画予約情報を受信すると、受信した録画予約情報に基づいて、録画予約を登録する。
【０１４５】
続いて、携帯電話２００を所持する視聴者がテレビ受像機１００のテレビ放送を見ている状態において、上記動作を繰り返す（Ｓ５０６〜Ｓ５１７）。
【０１４６】
なお、携帯電話２００においてリモコン操作をされる毎に、リモコン操作に係る情報をリアルタイム番組情報サーバ３００に送信し、リアルタイム番組情報サーバ３００がリモコン操作に係る情報を受信すると、受信したリモコン操作に係る情報を視聴ログＤＢ３４０の視聴ログに格納しておき、格納された受信したリモコン操作に係る情報に基づいて、視聴率データを集計するようにしてもよい。
【０１４７】
リアルタイム番組情報サーバ３００から受信した番組情報を、携帯電話２００からＰＶＲ１１０やテレビ受像機１００に無線通信機能によって送信し、これらの機器において番組情報を表示するようにしてもよい。また、図１２、図１３に示す第１の実施の形態の制御動作を実行するようにしてもよい。
【０１４８】
図１５、１６、１８、１９は、携帯電話２００のディスプレイ２０６に表示される番組情報の一例を示す図である。図１５（１）、図１６（１）は、「放送局ロゴマーク」を３つ表示した例であり、図１５（２）、図１６（２）は、「現在放送中の番組ロゴマーク」を３つ表示した例であり、図１５（３）、図１６（３）は、「現在放送中の番組内容を示す画像」を１つ表示した例であり、図１５（４）〜（５）は、図１５（１）〜（３）に示す画像表示に対応する文字情報を表示した例である。また、図１８（２）〜（４）は、ディスプレイ２０６を液晶タッチパネルとし、液晶タッチパネルに表示される各種ロゴマークを１２個にしたものである。図１９（３）〜（５）は、図１９（１）、（２）（図１８（３）、（４））に示す液晶タッチパネルに表示される各種ロゴマークを視聴者が選択した場合において、選択された各種ロゴマークに関連付けてＲＡＭ２０５ｂに格納されている各種画像情報等が液晶タッチパネルに表示された場合の一例を示す図である。
【０１４９】
このように、マルチキャスト方式で番組情報を携帯電話２００に配信することによって、現在放送中の番組情報を正確に取得することができ、現在放送中の正確な番組情報を表示することができる。具体的には、携帯電話２００において、制御部２０５が現在時刻に基づいて各チャネルの素材ＩＤを抽出し、抽出した素材ＩＤに関連付けられた番組情報に含まれる番組ロゴマーク等の画像情報をＲＡＭ２０５ｂから取り出し、取り出した画像情報を、ディスプレイ２０６に順次表示する。これによって、放送局ロゴマークや現在放送中の番組ロゴマーク、現在放送中の番組内容を示す画像、現在放送中の番組宣伝の写真等をディスプレイ２０６に表示することができる。また、入力部２０８のチャネル選択キーによってチャネルを選択する代わりに、図１６（２）、図１８（３）、図１９（１）に示すように、ディスプレイ２０６に表示されている現在放送中の「番組ロゴマーク」について、チャネル選択する画像を入力部２０８からのキー操作で選択することによって、チャネルを選択するようにしてもよい。また、図１６（１）、図１８（２）に示す「放送局ロゴマーク」と、図１６（３）、図１８（４）、図１９（２）に示す「現在放送中の番組内容を示す画像」との操作も同様である。この場合、現在放送中の内容等が視覚的に容易に認識することができるので、チャネル選択について、楽しくわかりやすいリモコン操作を実現することができる。また、チャネルを選択する場合に、次に選択しようとするチャネルについて現在放送中の番組内容が視覚的に瞬時に認識することができるので、無駄なチャネル選択操作を抑えることができる。また、図１９（３）〜（５）に示すように、テレビ番組の中で紹介される各商品や各シーン毎に設定された項目を特定する素材ＩＤに関連付けられた各商品や写真等を表示することができる。また、素材ＩＤに係るリンク情報を含む番組情報を携帯電話２００が容易に見ることができる。このため、テレビ受像機１００で放送中の各種リンク情報に携帯電話２００からアクセスする操作が容易である。
【０１５０】
また、マルチキャスト方式で番組情報を配信することによって、テレビ受像機１００で放送中のＣＭの情報や、テレビショップ番組の連絡先や商品の情報、その他放送番組に連動した情報を、携帯電話２００のディスプレイ２０６に表示することができる。
【０１５１】
図１７は、放送されている番組に関するリンクに携帯電話２００から接続する場合におけるフローを概略的に示す図である。
【０１５２】
図１７に示すように、従来の番組情報取得方法で番組リンク情報１７０５ａにアクセスする場合、最初に番組サイト１７０１に接続し、数段階（１７０２ａ〜１７０５ａ）を経た後に、所望の番組サイト１７０５ａにアクセスする。これに対して、上記各実施の形態は、図９に示すように、テレビショップ番組の中で紹介される各商品毎に設定された項目を特定する素材ＩＤに関連付けて各商品に係るリンク情報が格納されていて、各商品に係るリンク情報を含む番組情報を携帯電話２００が容易に取得することができる。このため、テレビ受像機１００で放送中のＣＭのリンク情報１７０４ｄや、テレビショップ番組の商品のリンク情報１７０５ａ〜ｃに、携帯電話２００からアクセスする場合に、携帯電話２００が取得した番組情報に含まれるリンク情報（例えば、１７０５ａ〜ｄ等）を使用して、直接アクセスすることができる。つまり、テレビ受像機１００で放送中のＣＭのリンク情報１７０４ｄや、テレビショップ番組の商品のリンク情報１７０５ａ〜ｃに携帯電話２００からアクセスする操作が容易である。
【０１５３】
なお、上記各実施の形態では、携帯電話を使用するが、テレビ受像機等のリモコン機能とサーバへの無線通信機能とタッチパネル等の表示部とを有する無線通信機能付き液晶タッチパネル式リモコンやＰＤＡ等の携帯電話以外の携帯端末に上記各実施の形態を適用するようにしてもよい。また、ラジオ等の受信機と、この受信機のリモコン機能を有する携帯端末と、リアルタイム番組情報サーバとを有する番組情報提供システムに上記各実施の形態を適用することができる。つまり、携帯端末のリモコン機能を利用して受信機のチャネルを選択し、携帯端末のユーザがラジオ放送を聴いている場合において、放送中のラジオ放送に関する各種情報をユーザが携帯端末から取得することができる。この場合、ラジオ放送を聴いているユーザが一度興味を持った放送に関して、番組情報取得キーを押下するだけで、この放送に関する各種情報を容易に取得することができる。このため、ラジオ放送についての利便性を飛躍的に高めることができる。
【０１５４】
上記各実施の形態によれば、テレビ番組の宣伝をする場合に、テレビ番組に一度興味を持った視聴者を実際の視聴行動に結びつけることができ、テレビ番組の宣伝効率を飛躍的に高めることができる。
【０１５５】
たとえば、携帯電話２００を所持する視聴者が『○○料理ショー』の番組宣伝を見て『○○料理ショー』に一度興味を持った場合に、番組情報取得キーを押下するだけで、『○○料理ショー』の番組情報を容易に取得することができる。さらに、『○○料理ショー』の放送や録画に関する通知がされている状態で、視聴キーを押下すれば、『○○料理ショー』を容易に見ることができるので、『○○料理ショー』に一度興味を持った視聴者を実際の視聴行動に結びつけることができ、テレビ番組の宣伝効率を飛躍的に高めることができる。
【産業上の利用可能性】
【０１５６】
本発明の活用例として、テレビ受像機と、ＰＶＲと、携帯電話と、リアルタイム番組情報サーバとを有する番組情報提供システムに本発明を適用することができる。
【図面の簡単な説明】
【０１５７】
【図１】本発明の第１の実施の形態である番組情報提供システム１の構成を示すブロック図である。
【図２】携帯電話２００の内部構成を示すブロック図である。
【図３】リアルタイム番組情報サーバ３００の内部構成を示すブロック図である。
【図４】リアルタイム番組情報サーバ３００の内部構成を機能的に示すブロック図である。
【図５】放送局５００からリアルタイム番組情報サーバ３００に出力する情報の流れを模式的に示す図である。
【図６】Ｘチャネルにおける番組枠編成情報３５１と、Ｑ（Ｃｕｅ）シート編成情報３５２との一部区間を概略的に示す図である。
【図７】編成情報ＤＢ３５０に格納される情報を概念的に示す図である。
【図８】番組情報ＤＢ３６０に格納される情報を概念的に示す図である。
【図９】主記憶部３０６に格納される番宣ＤＢ３１０とＣＭＤＢ３２０と番組本編ＤＢ３３０とを概念的に示す図である。
【図１０】番組情報提供システム１における番組予約動作を示すフローチャートである。
【図１１】番組情報提供システム１における番組予約更新動作を示すフローチャートである。
【図１２】番組情報提供システム１における予約番組視聴動作を示すフローチャートである。
【図１３】番組情報提供システム１における予約番組視聴動作を示すフローチャートである。
【図１４】本発明の第２の実施の形態である番組情報提供システム１における番組予約動作を示すフローチャートである。
【図１５】携帯電話２００のディスプレイ２０６に表示される番組情報の一例を示す図である。
【図１６】携帯電話２００のディスプレイ２０６に表示される番組情報の一例を示す図である。
【図１７】放送されている番組に関するリンクに携帯電話２００から接続する場合におけるフローを概略的に示す図である。
【図１８】携帯電話２００のディスプレイ２０６に表示される番組情報の一例を示す図である。
【図１９】携帯電話２００のディスプレイ２０６に表示される番組情報の一例を示す図である。
【符号の説明】
【０１５８】
１…番組情報提供システム、
１０…移動体通信網、
２０…インターネット、
１００…テレビ受像機、
１１０…ＰＶＲ、
２００…携帯電話、
２０１…アンテナ、
２０２…移動体通信部、
２０３…赤外線送信部、
２０４…無線通信部、
２０５…制御部、
２０５ａ…ＣＰＵ、
２０５ｂ…ＲＡＭ、
２０５ｃ…ＲＯＭ、
２０６…ディスプレイ、
２０７…スピーカ、
２０８…入力部、
３００…リアルタイム番組情報サーバ、
３０１…通信部、
３０２…ハードディスク、
３０３…制御部、
３０４…ディスプレイ、
３０５…入力部、
３４０…視聴ログＤＢ、
４００…電子商取引サーバ、
５００…放送局。
【要約】
【課題】  テレビ番組の宣伝をする場合に、テレビ番組に一度興味を持った視聴者を実際の視聴行動に結びつけることができ、テレビ番組の宣伝効率を飛躍的に高めることができる番組情報提供システムを提供することを目的とする。
【解決手段】  テレビジョン受像機と、携帯端末と、リアルタイム番組情報サーバと、放送局とを有する番組情報提供システムにおいて、視聴タイミングによる番組内の放送素材レベルでリアルタイム番組情報サーバがマッチングを行い、これによって通常のテレビジョン放送の番組中における番組情報（ビジュアルＥＰＧを含む）を携帯端末に提供する。
【選択図】  図１
【図１】
0003653672.tif 000002
【図２】
0003653672.tif 000003
【図３】
0003653672.tif 000004
【図４】
0003653672.tif 000005
【図５】
0003653672.tif 000006
【図６】
0003653672.tif 000007
【図７】
0003653672.tif 000008
【図８】
0003653672.tif 000009
【図９】
0003653672.tif 000010
【図１０】
0003653672.tif 000011
【図１１】
0003653672.tif 000012
【図１２】
0003653672.tif 000013
【図１３】
0003653672.tif 000014
【図１４】
0003653672.tif 000015
【図１５】
0003653672.tif 000016
【図１６】
0003653672.tif 000017
【図１７】
0003653672.tif 000018
【図１８】
0003653672.tif 000019
【図１９】
0003653672.tif 000020